(57)【要約】【課題】  例えば一般ユーザーが所望の撮像を行いつつ、全体的な映像も得ることができるようにするなどし、満足度の高い、同時的で多様な映像が得られるようにする。【解決手段】  第１の撮像装置において、被写体を撮像し記録すると共に第２の撮像装置にトリガ信号を送信する。第２の撮像装置では、トリガ信号に応じて画像を撮像し記録する。これにより第１、第２の撮像装置により、例えば全体的な画像とズームアップした画像の両方を、同時的なタイミングで得ることができるようにする。【選択図】        図２
2005328249.tif 000002
【特許請求の範囲】
【請求項１】
第１の撮像装置と第２の撮像装置とからなる撮像システムであって、
上記第１の撮像装置は、
撮像を行って画像を記録する第１の撮像記録手段と、
上記第２の撮像装置に対してトリガ信号を送信する送信手段と、
上記第１の撮像記録手段での撮像画像の記録、及び上記送信手段からのトリガ信号の送信を制御する第１の制御手段と、
を備え、
上記第２の撮像装置は、
撮像を行って画像を記録する第２の撮像記録手段と、
上記第１の撮像装置から送信されてくるトリガ信号を受信する受信手段と、
少なくとも、上記受信手段でトリガ信号が受信されることに応じて、上記第２の撮像記録手段での撮像もしくは撮像画像の記録を実行させる第２の制御手段と、
を備えたことを特徴とする撮像システム。
【請求項２】
上記第１の撮像装置は、機器識別情報を記憶する識別情報記憶手段をさらに備え、
上記第１の制御手段は、上記送信手段から、上記トリガ信号とともに、上記識別情報記憶手段に記憶された機器識別情報を送信させ、
上記第２の制御手段は、上記受信手段で受信されたトリガ信号に基づいて、上記第２の撮像記録手段に撮像もしくは撮像画像の記録を実行させる際に、その撮像画像とともに、上記受信手段で受信された機器識別情報の記録を実行させることを特徴とする請求項１に記載の撮像システム。
【請求項３】
上記第１の撮像装置は、撮像画像に関するメタデータを発生させるメタデータ発生手段をさらに備え、
上記第１の制御手段は、上記送信手段から、上記トリガ信号とともに、上記メタデータ発生手段で発生されたメタデータを送信させ、
上記第２の制御手段は、上記受信手段で受信されたトリガ信号に基づいて、上記第２の撮像記録手段に撮像もしくは撮像画像の記録を実行させる際に、その撮像画像とともに、上記受信手段で受信されたメタデータの記録を実行させることを特徴とする請求項１に記載の撮像システム。
【請求項４】
上記第２の撮像装置は、メタデータを発生させるメタデータ発生手段をさらに備え、
上記第２の制御手段は、上記受信手段で受信されたトリガ信号に基づいて、上記第２の撮像記録手段に撮像もしくは撮像画像の記録を実行させる際に、その撮像画像とともに、上記メタデータ発生手段で発生されたメタデータの記録を実行させることを特徴とする請求項１に記載の撮像システム。
【請求項５】
上記第１の制御手段は、上記第１の撮像記録手段での撮像画像の記録、及び上記送信手段からのトリガ信号の送信を実行させた後、上記第１の撮像記録手段で記録した撮像画像を、上記送信手段から送信させる制御を行い、
上記第２の制御手段は、上記受信手段で受信された撮像画像を、上記第２の撮像記録手段において記録させる制御を行うことを特徴とする請求項１に記載の撮像システム。
【請求項６】
上記第１の撮像装置は、メタデータを発生させる第１のメタデータ発生手段をさらに備え、
上記第１の制御手段は、上記第１の撮像記録手段に撮像画像の記録を実行させる際に、その撮像画像に対応させて、上記第１のメタデータ発生手段で発生されたメタデータの記録を実行させ、
さらに上記第１の制御手段は、上記第１の撮像記録手段で記録した撮像画像と、その撮像画像に対応して記録されているメタデータを上記送信手段から送信させる制御を行い、
上記第２の撮像装置は、メタデータを発生させる第２のメタデータ発生手段をさらに備え、
上記第２の制御手段は、上記第２の撮像記録手段に撮像もしくは撮像画像の記録を実行させる際に、その撮像画像に対応させて、上記第２のメタデータ発生手段で発生されたメタデータの記録を実行させ、
さらに上記第２の制御手段は、上記受信手段で撮像画像が受信された際には、撮像画像と共に受信されたメタデータと、上記第２の撮像記録手段で記録されたメタデータの照合を行って、上記受信手段で受信された撮像画像を、上記第２の撮像記録手段に記録されている特定の撮像画像に対応させて記録させることを特徴とする請求項１に記載の撮像システム。
【請求項７】
上記第１の撮像記録手段は、静止画としての撮像画像を記録する構成とされ、
上記第１の制御手段は、操作もしくは動作プログラムによって指示されるタイミングで、上記第１の撮像記録手段における撮像画像の静止画記録と、上記送信手段からのトリガ信号の送信を実行させることを特徴とする請求項１に記載の撮像システム。
【請求項８】
上記第１の撮像記録手段は、動画としての撮像画像を記録する構成とされ、
上記第１の制御手段は、第１の操作によって指示される期間に、上記第１の撮像記録手段における撮像画像の動画記録を実行させるとともに、第２の操作もしくは動作プログラムによって指示されるタイミングで、上記送信手段からのトリガ信号の送信を実行させることを特徴とする請求項１に記載の撮像システム。
【請求項９】
上記第１の撮像記録手段は、動画及び静止画としての撮像画像を記録する構成とされ、
上記第１の制御手段は、第１の操作によって指示される期間に、上記第１の撮像記録手段における撮像画像の動画記録を実行させるとともに、第２の操作もしくは動作プログラムによって指示されるタイミングで、上記第１の撮像記録手段における撮像画像の静止画記録と、上記送信手段からのトリガ信号の送信を実行させることを特徴とする請求項１に記載の撮像システム。
【請求項１０】
上記第２の撮像記録手段は、静止画としての撮像画像を記録する構成とされ、
上記第２の制御手段は、上記受信手段でトリガ信号が受信されることに応じて、上記第２の撮像記録手段での撮像画像の静止画記録を実行させることを特徴とする請求項１に記載の撮像システム。
【請求項１１】
上記第２の撮像記録手段は、動画としての撮像画像を記録する構成とされ、
上記第２の制御手段は、上記受信手段でトリガ信号が受信されることに応じて、上記第２の撮像記録手段での撮像画像の動画記録を実行させることを特徴とする請求項１に記載の撮像システム。
【請求項１２】
上記第２の撮像記録手段は、動画及び静止画としての撮像画像を記録する構成とされ、
上記第２の制御手段は、操作によって指示される期間に、上記第２の撮像記録手段における撮像画像の動画記録を実行させるとともに、上記受信手段でトリガ信号が受信されることに応じて、上記第２の撮像記録手段での撮像画像の静止画記録を実行させることを特徴とする請求項１に記載の撮像システム。
【請求項１３】
上記メタデータは、時刻情報、位置情報、記録アドレス情報のいずれかを含むことを特徴とする請求項３、請求項４、又は請求項６に記載の撮像システム。
【請求項１４】
上記第１、第２の撮像記録手段の両方又は一方は、撮像画像信号を記録媒体に記録する構成とされていることを特徴とする請求項１に記載の撮像システム。
【請求項１５】
上記第１、第２の撮像記録手段の一方は、撮像画像としての被写体光を銀塩フィルムに記録する構成とされていることを特徴とする請求項１に記載の撮像システム。
【請求項１６】
上記第１の制御手段は、上記送信手段からトリガ信号を送信することに先立って、スタンバイ指示を送信するとともに、
上記第２の制御手段は、上記受信手段でスタンバイ指示が受信されることに応じて、上記第２の撮像記録手段を記録可能状態にスタンバイさせる制御を行うことを特徴とする請求項１に記載の撮像システム。
【請求項１７】
撮像を行って画像を記録する撮像記録手段と、
外部装置に対して撮像画像の記録を指示するトリガ信号を送信する送信手段と、
上記撮像記録手段での撮像画像の記録、及び上記送信手段からのトリガ信号の送信を制御する制御手段と、
を備えたことを特徴とする撮像装置。
【請求項１８】
機器識別情報を記憶する識別情報記憶手段をさらに備え、
上記制御手段は、上記送信手段から、上記トリガ信号とともに、上記識別情報記憶手段に記憶された機器識別情報を送信させることを特徴とする請求項１７に記載の撮像装置。
【請求項１９】
メタデータを発生させるメタデータ発生手段をさらに備え、
上記制御手段は、上記送信手段から、上記トリガ信号とともに、上記メタデータ発生手段で発生されたメタデータを送信させることを特徴とする請求項１７に記載の撮像装置。
【請求項２０】
上記制御手段は、上記撮像記録手段での撮像画像の記録、及び上記送信手段からのトリガ信号の送信を実行させた後、上記撮像記録手段で記録した撮像画像を、上記送信手段から送信させる制御を行うことを特徴とする請求項１７に記載の撮像装置。
【請求項２１】
メタデータを発生させるメタデータ発生手段をさらに備え、
上記制御手段は、上記撮像記録手段に撮像画像の記録を実行させる際に、その撮像画像に対応させて、上記メタデータ発生手段で発生されたメタデータの記録を実行させ、
さらに上記制御手段は、上記撮像記録手段で記録した撮像画像と、その撮像画像に対応して記録されているメタデータを上記送信手段から送信させることを特徴とする請求項１７に記載の撮像装置。
【請求項２２】
上記撮像記録手段は、静止画としての撮像画像を記録する構成とされ、
上記制御手段は、操作もしくは動作プログラムによって指示されるタイミングで、上記撮像記録手段における撮像画像の静止画記録と、上記送信手段からのトリガ信号の送信を実行させることを特徴とする請求項１７に記載の撮像装置。
【請求項２３】
上記撮像記録手段は、動画としての撮像画像を記録する構成とされ、
上記制御手段は、第１の操作によって指示される期間に、上記撮像記録手段における撮像画像の動画記録を実行させるとともに、第２の操作もしくは動作プログラムによって指示されるタイミングで、上記送信手段からのトリガ信号の送信を実行させることを特徴とする請求項１７に記載の撮像装置。
【請求項２４】
上記撮像記録手段は、動画及び静止画としての撮像画像を記録する構成とされ、
上記制御手段は、第１の操作によって指示される期間に、上記撮像記録手段における撮像画像の動画記録を実行させるとともに、第２の操作もしくは動作プログラムによって指示されるタイミングで、上記撮像記録手段における撮像画像の静止画記録と、上記送信手段からのトリガ信号の送信を実行させることを特徴とする請求項１７に記載の撮像装置。
【請求項２５】
上記メタデータは、時刻情報、位置情報、記録アドレス情報のいずれかを含むことを特徴とする請求項１９又は請求項２１に記載の撮像装置。
【請求項２６】
上記撮像記録手段は、撮像画像信号を記録媒体に記録する構成とされていることを特徴とする請求項１７に記載の撮像装置。
【請求項２７】
上記撮像記録手段は、撮像画像としての被写体光を銀塩フィルムに記録する構成とされていることを特徴とする請求項１７に記載の撮像装置。
【請求項２８】
上記制御手段は、上記送信手段からトリガ信号を送信することに先立って、外部装置に撮像画像の記録準備を指示するスタンバイ指示を送信することを特徴とする請求項１７に記載の撮像装置。
【請求項２９】
撮像を行って画像を記録する撮像記録手段と、
外部装置から送信されてくるトリガ信号を受信する受信手段と、
少なくとも、上記受信手段でトリガ信号が受信されることに応じて、上記撮像記録手段での撮像画像の記録を実行させる制御手段と、
を備えたことを特徴とする撮像装置。
【請求項３０】
上記制御手段は、上記受信手段で受信されたトリガ信号に基づいて、上記撮像記録手段に撮像画像の記録を実行させる際に、その撮像画像とともに、上記外部装置から送信され上記受信手段で受信された機器識別情報の記録を実行させることを特徴とする請求項２９に記載の撮像装置。
【請求項３１】
上記制御手段は、上記受信手段で受信されたトリガ信号に基づいて、上記撮像記録手段に撮像画像の記録を実行させる際に、その撮像画像とともに、上記外部装置から送信され上記受信手段で受信されたメタデータの記録を実行させることを特徴とする請求項２９に記載の撮像装置。
【請求項３２】
メタデータを発生させるメタデータ発生手段をさらに備え、
上記制御手段は、上記受信手段で受信されたトリガ信号に基づいて、上記撮像記録手段に撮像画像の記録を実行させる際に、その撮像画像とともに、上記メタデータ発生手段で発生されたメタデータの記録を実行させることを特徴とする請求項２９に記載の撮像装置。
【請求項３３】
上記制御手段は、上記外部装置から送信され上記受信手段で受信された撮像画像を、上記撮像記録手段において記録させる制御を行うことを特徴とする請求項２９に記載の撮像装置。
【請求項３４】
メタデータを発生させるメタデータ発生手段をさらに備え、
上記制御手段は、上記撮像記録手段に撮像画像の記録を実行させる際に、その撮像画像に対応させて、上記メタデータ発生手段で発生されたメタデータの記録を実行させ、
さらに上記制御手段は、上記外部装置から送信された撮像画像とメタデータが上記受信手段で受信された際には、撮像画像と共に受信されたメタデータと、上記撮像記録手段で記録されたメタデータの照合を行って、上記受信手段で受信された撮像画像を、上記撮像記録手段に記録されている特定の撮像画像に対応させて記録させることを特徴とする請求項２９に記載の撮像装置。
【請求項３５】
上記撮像記録手段は、静止画としての撮像画像を記録する構成とされ、
上記制御手段は、上記受信手段でトリガ信号が受信されることに応じて、上記撮像記録手段での撮像画像の静止画記録を実行させることを特徴とする請求項２９に記載の撮像装置。
【請求項３６】
上記撮像記録手段は、動画としての撮像画像を記録する構成とされ、
上記制御手段は、上記受信手段でトリガ信号が受信されることに応じて、上記撮像記録手段での撮像画像の動画記録を実行させることを特徴とする請求項２９に記載の撮像装置。
【請求項３７】
上記撮像記録手段は、動画及び静止画としての撮像画像を記録する構成とされ、
上記制御手段は、操作によって指示される期間に、上記撮像記録手段における撮像画像の動画記録を実行させるとともに、上記受信手段でトリガ信号が受信されることに応じて、上記撮像記録手段での撮像画像の静止画記録を実行させることを特徴とする請求項２９に記載の撮像装置。
【請求項３８】
上記メタデータは、時刻情報、位置情報、記録アドレス情報のいずれかを含むことを特徴とする請求項３２又は請求項３４に記載の撮像装置。
【請求項３９】
上記撮像記録手段は、撮像画像信号を記録媒体に記録する構成とされていることを特徴とする請求項２９に記載の撮像装置。
【請求項４０】
上記撮像記録手段は、撮像画像としての被写体光を銀塩フィルムに記録する構成とされていることを特徴とする請求項２９に記載の撮像装置。
【請求項４１】
上記制御手段は、上記外部装置から送信されたスタンバイ指示が上記受信手段で受信されることに応じて、上記撮像記録手段を記録可能状態にスタンバイさせる制御を行うことを特徴とする請求項２９に記載の撮像装置。
【請求項４２】
被写体の撮像画像として静止画又は動画を撮像し記録する撮像装置の撮像方法として、
操作もしくは動作プログラムによって指示されるタイミングで、撮像もしくは撮像画像の記録を実行する撮像記録ステップと、
上記タイミングで外部装置に対して撮像もしくは撮像画像の記録を指示するトリガ信号を送信するトリガ送信ステップと、
を備えたことを特徴とする撮像方法。
【請求項４３】
上記トリガ送信ステップでは、上記トリガ信号とともに、当該撮像装置の機器識別情報を送信することを特徴とする請求項４２に記載の撮像方法。
【請求項４４】
上記トリガ送信ステップでは、上記トリガ信号とともに、当該撮像装置において発生させたメタデータを送信することを特徴とする請求項４２に記載の撮像方法。
【請求項４５】
さらに、上記撮像記録ステップで記録した撮像画像を送信する画像送信ステップを備えることを特徴とする請求項４２に記載の撮像方法。
【請求項４６】
上記撮像記録ステップでは、撮像画像に対応させて、当該撮像装置において発生させたメタデータの記録を実行させるとともに、
上記撮像記録ステップで記録した撮像画像及びメタデータを送信する画像送信ステップをさらに備えることを特徴とする請求項４２に記載の撮像方法。
【請求項４７】
上記撮像記録ステップ及び上記トリガ送信ステップを実行する上記タイミングに先立って、外部装置に対して撮像画像の記録準備を指示するスタンバイ指示を送信するスタンバイ指示送信ステップを、さらに備えることを特徴とする請求項４２に記載の撮像方法。
【請求項４８】
被写体の撮像画像として静止画又は動画を撮像し記録する撮像装置の撮像方法として、
外部装置から送信されてくるトリガ信号を受信するトリガ受信ステップと、
上記受信ステップでトリガ信号が受信されることに応じて、撮像もしくは撮像画像の記録を実行する撮像記録ステップと、
を備えたことを特徴とする撮像方法。
【請求項４９】
上記受信ステップでは、トリガ信号と共に上記外部装置から送信されてきた機器識別情報を受信するとともに、
上記撮像記録ステップでは、撮像画像とともに、受信された機器識別情報を記録することを特徴とする請求項４８に記載の撮像方法。
【請求項５０】
上記受信ステップでは、トリガ信号と共に上記外部装置から送信されてきたメタデータを受信するとともに、
上記撮像記録ステップでは、撮像画像とともに、受信されたメタデータを記録することを特徴とする請求項４８に記載の撮像方法。
【請求項５１】
上記撮像記録ステップでは、撮像画像に対応させて、当該撮像装置において発生させたメタデータの記録を実行することを特徴とする請求項４８に記載の撮像方法。
【請求項５２】
上記外部装置から送信されてくる撮像画像を受信する画像受信ステップと、
上記画像受信ステップで受信された撮像画像を記録する受信画像記録ステップと、
をさらに備えたことを特徴とする請求項４８に記載の撮像方法。
【請求項５３】
上記撮像記録ステップでは、撮像画像に対応させて、当該撮像装置において発生させたメタデータの記録を実行するとともに、
上記外部装置から送信されてくる撮像画像及びメタデータを受信する画像受信ステップと、
上記画像受信ステップで受信されたメタデータと、上記撮像記録ステップで記録したメタデータの照合を行う照合ステップと、
上記照合ステップの照合結果に基づいて、上記受信ステップで受信された撮像画像を、上記撮像記録ステップで記録した特定の撮像画像に対応させて記録する受信画像記録ステップと、
をさらに備えたことを特徴とする請求項４８に記載の撮像方法。
【請求項５４】
上記外部装置から送信されてくるスタンバイ指示を受信するスタンバイ指示受信ステップと、
上記スタンバイ指示の受信に応じて撮像準備もしくは撮像画像の記録準備を行う撮像記録準備ステップと、
をさらに備えたことを特徴とする請求項４８に記載の撮像方法。
【発明の詳細な説明】
【技術分野】
【０００１】
本発明は例えば一般ユーザーにとって好適な撮像映像を得ることができる撮像システム、撮像装置、及び撮像方法に関するものである。
【背景技術】
【０００２】
近年、例えばディスクメディアやテープメディアに撮像映像を記録する小型のビデオカメラが一般に普及し、ユーザーが容易にビデオ撮影を行って楽しむことができる状況にある。
例えば多くの人が、運動会や各種イベント、遊園地、行楽地などでのビデオカメラでの撮像を行っている。
また、一般ユーザーが家庭等において静止画や動画映像を容易に楽しむことのできる環境が整うことに応じて、動画や静止画の配信サービス、或いは遊園地等での撮影サービスなど、各種のサービスが提案又は実現されている。例えば下記特許文献には、撮影サービスを行う技術が開示されている。
【特許文献１】特開２００１−１４８８２２号公報
【発明の開示】
【発明が解決しようとする課題】
【０００３】
ところで、実際にビデオカメラやスチルカメラで撮像を行う際には、特定の被写体に集中したりズームアップして撮像したい場合が多い。
例えば小学校等の運動会を例に挙げると、自分の子供を中心に撮像を行うことが普通であるが、特に競技中に、自分の子供だけをズーム状態で追って撮像しているということも多い。もちろんそのようにして撮像された映像は、撮像者やその家族等にとって価値の高いものであるが、競技全体がどのようなものかが全くわからないといったものとなることがある。
一方で、競技全体を俯瞰的に撮っていると、自分の子供を大きく撮れないため、その撮像者等にとって、よい映像とはいえなくなることも多い。
さらには、ビデオカメラで動画映像を撮る場合、自分の子供のズームアップ映像と、全体的な映像の両方を得るため、頻繁にズーム操作を行うこともあるが、その場合、映像は落ち着きが無く見づらいものとなったり、或いは競技全体の映像を撮っているときに自分の子供の位置を見失って、うまく撮像できなかったという結果となることもある。
またスチルカメラを用い、或るシャッタチャンスで自分の子供のズームアップ画像等をとる場合に、その同じタイミングでの全体的な画像がほしいという要望もある。
以上は一例であるが、実際に一般ユーザーがスチルカメラやビデオカメラで撮像を行う際には、全体的な映像とズームアップした画像（動画又は静止画）の両方を撮りたい場合が多々あるが、容易にそのような撮像を行うことができないのが通常である。
【課題を解決するための手段】
【０００４】
そこで本発明は、一般ユーザーが所望の撮像を行いつつ、全体的な映像も得ることができるようにし、満足度の高い映像が得られるようにすることを目的とする。
【０００５】
本発明の請求項１〜１１でいう撮像システムは、第１の撮像装置と第２の撮像装置とからなる撮像システムである。
第１の撮像装置とは、撮像画像の記録を行うと共に、同じタイミングで第２の撮像装置に対して撮像もしくは撮像画像の記録を指示するトリガ信号を送信する撮像装置である。
第２の撮像装置とは、第１の撮像装置からのトリガ信号に応じて撮像もしくは撮像画像の記録を行う撮像装置である。
即ち本発明の撮像システムは、その第１の撮像装置は、撮像を行って画像を記録する第１の撮像記録手段と、上記第２の撮像装置に対してトリガ信号を送信する送信手段と、上記第１の撮像記録手段での撮像画像の記録、及び上記送信手段からのトリガ信号の送信を制御する第１の制御手段とを備える。
また第２の撮像装置は、撮像を行って画像を記録する第２の撮像記録手段と、上記第１の撮像装置から送信されてくるトリガ信号を受信する受信手段と、少なくとも、上記受信手段でトリガ信号が受信されることに応じて上記第２の撮像記録手段での撮像もしくは撮像画像の記録を実行させる第２の制御手段とを備える。
【０００６】
また第１の撮像装置は、機器識別情報を記憶する識別情報記憶手段や、メタデータを発生させるメタデータ発生手段をさらに備え、上記第１の制御手段は、上記送信手段から、上記トリガ信号とともに、上記機器識別情報をメタデータを送信させる。
上記第２の制御手段は、上記受信手段で受信されたトリガ信号に基づいて上記第２の撮像記録手段に撮像画像の記録を実行させる際に、その撮像画像とともに、上記受信手段で受信された機器識別情報やメタデータの記録を実行させる。
また上記第２の撮像装置においてメタデータを発生させるメタデータ発生手段をさらに備え、上記第２の制御手段は、上記受信手段で受信されたトリガ信号に基づいて上記第２の撮像記録手段に撮像画像の記録を実行させる際に、その撮像画像とともに、上記メタデータ発生手段で発生されたメタデータの記録を実行させる。
【０００７】
また上記第１の制御手段は、上記第１の撮像記録手段での撮像画像の記録、及び上記送信手段からのトリガ信号の送信を実行させた後、上記第１の撮像記録手段で記録した撮像画像を、上記送信手段から送信させる。その場合、上記第２の制御手段は、上記受信手段で受信された撮像画像を、上記第２の撮像記録手段において記録させる。
また、このように第１の撮像装置から第２の撮像装置に撮像画像を送信する場合は、各撮像装置が、撮像画像の記録の際にメタデータも記録しておく。そして第１の撮像装置から第２の撮像装置に撮像画像とともにメタデータを送信し、第２の撮像装置では、送信されてきたメタデータと、記録したメタデータを照合して対応関係を判別し、送信されてきた撮像画像を、記録した或る特定の撮像画像に対応させて記録する。
【０００８】
また上記第１の撮像記録手段は、静止画としての撮像画像を記録する構成とされ、上記第１の制御手段は、操作もしくは動作プログラムによって指示されるタイミングで、上記第１の撮像記録手段における撮像画像の静止画記録と、上記送信手段からのトリガ信号の送信を実行させる。
或いは、上記第１の撮像記録手段は、動画としての撮像画像を記録する構成とされ、上記第１の制御手段は、第１の操作によって指示される期間に、上記第１の撮像記録手段における撮像画像の動画記録を実行させるとともに、第２の操作もしくは動作プログラムによって指示されるタイミングで、上記送信手段からのトリガ信号の送信を実行させる。
或いは上記第１の撮像記録手段は、動画及び静止画としての撮像画像を記録する構成とされ、上記第１の制御手段は、第１の操作によって指示される期間に、上記第１の撮像記録手段における撮像画像の動画記録を実行させるとともに、第２の操作もしくは動作プログラムによって指示されるタイミングで、上記第１の撮像記録手段における撮像画像の静止画記録と、上記送信手段からのトリガ信号の送信を実行させる。
【０００９】
また上記第２の撮像記録手段は、静止画としての撮像画像を記録する構成とされ、上記第２の制御手段は、上記受信手段でトリガ信号が受信されることに応じて、上記第２の撮像記録手段での撮像画像の静止画記録を実行させる。
或いは、上記第２の撮像記録手段は、動画としての撮像画像を記録する構成とされ、上記第２の制御手段は、上記受信手段でトリガ信号が受信されることに応じて、上記第２の撮像記録手段での撮像画像の動画記録を実行させる。
或いは上記第２の撮像記録手段は、動画及び静止画としての撮像画像を記録する構成とされ、上記第２の制御手段は、操作によって指示される期間に、上記第２の撮像記録手段における撮像画像の動画記録を実行させるとともに、上記受信手段でトリガ信号が受信されることに応じて、上記第２の撮像記録手段での撮像画像の静止画記録を実行させる。
【００１０】
また上記第１の制御手段は、上記送信手段からトリガ信号を送信することに先立って、スタンバイ指示を送信するとともに、上記第２の制御手段は、上記受信手段でスタンバイ指示が受信されることに応じて、上記第２の撮像記録手段を記録可能状態にスタンバイさせる制御を行う。
【００１１】
本発明の請求項１７〜２８でいう撮像装置は、上記撮像システムにおける第１の撮像装置となる撮像装置である。
本発明の請求項２９〜４１でいう撮像装置は、上記撮像システムにおける第２の撮像装置となる撮像装置である。
【００１２】
本発明の請求項４２〜４７の撮像方法は、上記撮像システムにおける第１の撮像装置において実行される撮像方法である。
即ち、被写体の撮像画像として静止画又は動画を撮像し記録する撮像装置の撮像方法として、操作もしくは動作プログラムによって指示されるタイミングで、撮像画像の記録を実行する撮像記録ステップと、上記タイミングで外部装置に対して撮像もしくは撮像画像の記録を指示するトリガ信号を送信するトリガ送信ステップとを備える。
また上記トリガ送信ステップでは、上記トリガ信号とともに、当該撮像装置の機器識別情報や、当該撮像装置において発生させたメタデータを送信する。
さらに、上記撮像記録ステップで記録した撮像画像を送信する画像送信ステップを備える。
また上記撮像記録ステップでは、撮像画像に対応させて、当該撮像装置において発生させたメタデータの記録を実行させるとともに、上記撮像記録ステップで記録した撮像画像及びメタデータを送信する画像送信ステップをさらに備える。
また上記撮像記録ステップ及び上記トリガ送信ステップを実行する上記タイミングに先立って、外部装置に対して撮像準備もしくは撮像画像の記録準備を指示するスタンバイ指示を送信するスタンバイ指示送信ステップを、さらに備える。
【００１３】
本発明の請求項４８〜５４の撮像方法は、上記撮像システムにおける第２の撮像装置において実行される撮像方法である。
即ち、被写体の撮像画像として静止画又は動画を撮像し記録する撮像装置の撮像方法として、外部装置から送信されてくるトリガ信号を受信するトリガ受信ステップと、上記受信ステップでトリガ信号が受信されることに応じて、撮像もしくは撮像画像の記録を実行する撮像記録ステップとを備える。
また上記受信ステップでは、トリガ信号と共に外部装置から送信されてきた機器識別情報やメタデータを受信するとともに、上記撮像記録ステップでは、撮像画像とともに、受信された機器識別情報やメタデータを記録する。
また上記撮像記録ステップでは、撮像画像に対応させて、当該撮像装置において発生させたメタデータの記録を実行する。
また、上記外部装置から送信されてくる撮像画像を受信する画像受信ステップと、上記画像受信ステップで受信された撮像画像を記録する受信画像記録ステップとをさらに備える。
また上記撮像記録ステップでは、撮像画像に対応させて、当該撮像装置において発生させたメタデータの記録を実行する。そしてさらに、上記外部装置から送信されてくる撮像画像及びメタデータを受信する画像受信ステップと、上記画像受信ステップで受信されたメタデータと、上記撮像記録ステップで記録したメタデータの照合を行う照合ステップと、上記照合ステップの照合結果に基づいて、上記受信ステップで受信された撮像画像を上記撮像記録ステップで記録した特定の撮像画像に対応させて記録する受信画像記録ステップとを備える。
また、上記外部装置から送信されてくるスタンバイ指示を受信するスタンバイ指示受信ステップと、上記スタンバイ指示の受信に応じて撮像画像の記録準備を行う記録準備ステップとをさらに備える。
【００１４】
以上のような本発明によれば、第１の撮像装置において、例えば被写体をズームアップした画像、もしくはその被写体が入っている範囲の全体的な画像を撮像し記録する。そしてその撮像／記録の際に第２の撮像装置にトリガ信号を送信する。第２の撮像装置では、トリガ信号に応じて、全体的な画像、もしくはズームアップした画像を撮像し記録する。すると、第１、第２の撮像装置により、全体的な画像とズームアップした画像の両方を、同時的なタイミングで得ることができる。
例えば第１，第２の撮像装置の一方を、一般ユーザが所有するスチルカメラやビデオカメラとする。他方を、サービス業者が配置したスチルカメラやビデオカメラとする。例えばユーザーの所有するカメラを第１の撮像装置とすると、ユーザーは、自分の撮りたい画像を任意に撮っていれば、それらの画像と同タイミングの全体的な画像が、業者側の第２の撮像装置によって撮像／記録され、ユーザーは最終的に、両方の画像を得ることができる。
【発明の効果】
【００１５】
本発明によれば、第１の撮像装置において静止画又は動画の撮像／記録を行うことで、その同じタイミングの或いは同じ時間帯の静止画又は動画を第２の撮像装置によって撮像／記録することができる。従って、第１，第２の撮像装置の一方で、或る被写体をズームアップした画像を得、他方で、その被写体を含む全体を撮像した画像を得ることが可能となる。もちろん、全体画像とズーム画像に限らず、第１，第２の撮像装置で特定の被写体を異なるアングルで同時的に撮像した画像を得ることなども可能である。
【００１６】
このような撮像システムを利用することで、ユーザーは、簡易に多様な撮像画像を得ることができる。
例えば第１の撮像装置を所持するユーザーは、運動会などでの自分の子供など、自分の撮りたい被写体の画像を集中して撮っていればよく、全体的な画像を考慮する必要はない。即ち全体的な画像についてはサービス業者が用意する第２の撮像装置で撮像されるためである。しかもその第２の撮像装置側で記録される全体的な画像は、上記ユーザーの任意のシャッタタイミングに同期したものとなるため、そのユーザーにとって求むべきタイミングの撮像画像となる。ユーザーは、最終的に第２の撮像装置側で記録された画像を入手することで、自分で撮像した画像と合わせて、満足度の高い撮像画像を取得できる。
また一般ユーザー側が第２の撮像装置を所持する場合、サービス業者側の第１の撮像装置からのトリガによって撮像／記録が行われる。これは、例えば各種イベントなどでサービス業者側が好適なシャッタタイミングなどを把握している場合に、一般ユーザー側に適切な画像撮像を実行させ、かつ、この場合も、最終的にユーザーに、同時的な多様な画像を提供できる。
もちろん本発明の撮像システム（第１，第２の撮像装置）は、一般ユーザーとサービス業者で使用するものに限らず、例えば第１，第２の撮像装置が一般ユーザー同士で使用されても、多様且つ満足度の高い画像を得ることができるものである。
【発明を実施するための最良の形態】
【００１７】
以下、例えば一般ユーザーが使用するスチルカメラ、ビデオカメラ等をローカルカメラとし、またローカルカメラと共動してシステムを構成するカメラをコモンカメラとして、このローカルカメラとコモンカメラで構成されるシステムを例に挙げ、本発明の実施の形態を次の順序で説明する。
１．コモンカメラ及びローカルカメラによるシステム概要  
２．ローカルカメラからトリガ送信を行う実施の形態
２−１．第１の実施の形態
２−２．第２の実施の形態
２−３．第３の実施の形態
２−４．第４の実施の形態
２−５．第５の実施の形態
２−６．第６の実施の形態
２−７．第７の実施の形態
２−８．第８の実施の形態
２−９．第９の実施の形態
２−１０．第１０の実施の形態
２−１１．ローカルカメラとコモンカメラのシステムパターン例
３．コモンカメラからトリガ送信を行う実施の形態
３−１．第１１の実施の形態
３−２．第１２の実施の形態
３−３．第１３の実施の形態
３−４．第１４の実施の形態
３−５．第１５の実施の形態
３−６．第１６の実施の形態
３−７．第１７の実施の形態
３−８．第１８の実施の形態
３−９．第１９の実施の形態
３−１０．第２０の実施の形態
３−１１．第１１〜２０の実施の形態に適用できるスタンバイ指示
３−１２．ローカルカメラとコモンカメラのシステムパターン例
４．変形例
【００１８】
１．コモンカメラ及びローカルカメラによる撮像システム概要  
図１は、本例の撮像システムを使用する例を示している。本例の撮像システムは、例えばサービス業者が運動会やイベント会場などに設置する撮像装置としてのコモンカメラ２と、ユーザーが自分で撮像を行う撮像装置としてローカルカメラ１とにより成る。
ローカルカメラ１としては、静止画撮像を行うスチルカメラ１ｓ、動画撮像（及び静止画撮像機能を備える場合もある）を行うビデオカメラ１ｖ、さらには銀塩フィルムに撮像（撮影）を行う銀塩カメラ１ｆを用いることができる。
またコモンカメラ２としては、静止画撮像を行うスチルカメラ２ｓ、動画撮像（及び静止画撮像機能を備える場合もある）を行うビデオカメラ２ｖを用いることができる。
以下、「ローカルカメラ１ｓ」と表記した場合は、そのローカルカメラがスチルカメラであることを示し、また「ローカルカメラ１ｖ」「ローカルカメラ１ｆ」は、そのローカルカメラがビデオカメラや銀塩カメラであることを示すものとする。
同様に、「コモンカメラ２ｓ」「コモンカメラ２ｖ」と表記した場合は、それぞれそのコモンカメラがスチルカメラ、ビデオカメラであることを示すものとする。
【００１９】
図１では、例えば運動会において、ユーザーが自分で所持するローカルカメラ１（１ｓ、１ｖ、１ｆ）により、任意に撮像を行っている例を示している。例えば自分の子供をズームアップした状態で、その子供の動きを追うような撮像である。即ち一般ユーザーが通常行う撮像である。
なお、ローカルカメラ１で撮像／記録される映像を「ローカル画像」ということとする。
一方、この運動会が開催されている学校の所定位置、例えば校舎内、或いは屋上など、運動場で行われている競技全体を鳥瞰的に撮像できるような場所に、コモンカメラ２（２ｓ、２ｖ）が設置される。
このコモンカメラ２によっては例えば競技全体の映像を撮像する。なお、コモンカメラ２側で撮像／記録される画像を「コモン画像」と言うこととする。
【００２０】
ローカルカメラ１とコモンカメラ２の間は通信が可能とされる。詳しくは各実施の形態として後述するが、例えばローカルカメラ１からコモンカメラ２にトリガ信号が送信される。
ローカルカメラ１では、ユーザーのシャッタ操作に応じてローカル画像の撮像を行い、記録メディアに記録するともにトリガ信号を送信する。
コモンカメラ２では、トリガ信号を受信することに応じて、コモン画像の撮像を行い、記録メディアに記録する。
するとその場合、ローカルカメラ１側の記録メディアには、ユーザーが選んだ任意の被写体（例えば自分の子供）のローカル画像が記録され、またコモンカメラ２側の記録メディアには、ユーザーがローカル画像の撮像を行ったタイミングでの被写体（例えば競技全体）のコモン画像が記録されるものとなる。
つまりユーザーにとっては、例えば運動会で自分の子供の画像を撮像していくと、コモンカメラ２側において、その撮像を行ったタイミングでの競技全体の画像が撮像されていくものとなる。従って、後にユーザーはコモンカメラ２側で記録されたコモン画像を取得することで、自分で決めたシャッタタイミングにおける異なる画像（例えば全体的な画像やアングルの異なる画像等）を得ることができ、容易に多様且つユーザーにとって価値の高い画像を得ることができるものとなる。
【００２１】
また後述するが、コモンカメラ２側からローカルカメラ１に対してトリガ信号を送信することも考えられる。イベントやテーマパーク等のアトラクションなどでは、サービス業者側が適切なシャッタタイミングを予め把握できる場合がある。
その場合、コモンカメラ２側は適切なタイミングで画像の撮像／記録を行うと共に、ローカルカメラ１にトリガ信号を送信する。ローカルカメラ１ではトリガ信号に応じて撮像／記録を行う。すると、最適なシャッタタイミングで例えば全体的なコモン画像と、ユーザー側が任意に選んだローカル画像が得られることになる。この場合も、コモンカメラ２側のコモン画像をユーザーに提供することによって、ユーザーは満足度の高い多様な画像を得ることができる。
【００２２】
２．ローカルカメラからトリガ送信を行う実施の形態
２−１．第１の実施の形態
以下、第１〜第１０の実施の形態は、ローカルカメラ１を本発明請求項でいう第１の撮像装置、コモンカメラ２を第２の撮像装置とする例である。
第１の実施の形態は、ローカルカメラ１とコモンカメラ２のいずれもがスチルカメラである例とし、これを図２，図３，図４で説明する。
【００２３】
図２は第１の実施の形態のローカルカメラ１ｓとコモンカメラ２ｓの構成を示している。
ローカルカメラ１ｓには、ローカル制御部１０、送信部１１、アンテナ１２、撮像部１３、撮像信号処理部１４、記録再生部１５、表示処理部１６、表示部１７、シャッタスイッチ１８が設けられる。なお、図示していないが、これら以外にスチルカメラとして通常必要な構成は備えている。
【００２４】
ローカル制御部１０はマイクロコンピュータにより形成され、ユーザーの操作や、内部メモリに保持する動作プログラムに基づいて、ローカルカメラ１ｓ内の各部の制御を行う。破線矢印は、ローカル制御部１０による各部への制御信号の供給を示している。
例えばローカル制御部１０は、図示しない操作子による電源操作、ズーム操作、表示モード操作、再生操作や、シャッタスイッチ１８によるシャッタ操作になどに応じて各部に必要な動作指示を与える。
【００２５】
撮像部１３は、撮像レンズ、ズームレンズや絞りなどを備えて構成されるレンズ系、レンズ系に対してフォーカス動作やズーム動作を行わせるための駆動系を備える。また撮像部１３は、上記レンズ系で得られる撮像光を検出し、光電変換を行うことで撮像信号を生成する撮像素子部としてＣＣＤ(Charge Coupled Device)センサアレイもしくはＣＭＯＳセンサアレイを備える。また、撮像素子部から画素信号を読み出す垂直、水平走査回路や、撮像素子部から読み出される信号に対するゲイン調整や波形整形を行うサンプルホールド／ＡＧＣ(Automatic Gain Control)回路、Ａ／Ｄコンバータなどを備える。撮像部１３はこれらの構成により被写体を撮像した画像信号として、デジタル画像データを出力する。
撮像部１３における撮像信号の読出動作、フォーカス／ズーム駆動系動作、信号処理などは、ユーザーの操作等に応じてローカル制御部１０によって制御される。
【００２６】
撮像信号処理部１４は、撮像部１３から出力される撮像画像信号に対して各種の信号処理を行う。例えばホワイトバランス調整、クランプ処理、補正処理、輝度処理、色差処理等を行う。
さらには、撮像画像信号の圧縮符号化処理やフォーマット処理を行って、記録再生部１５において記録メディア１９に記録する画像信号（ローカル画像ＶL）を生成したり、表示部１７で表示させる画像信号を生成する。
圧縮符号化処理としては、例えばＭＰＥＧ(Moving Picture Experts Group)方式、ＪＰＥＧ (Joint Photographic Experts Group)方式或いは他の圧縮方式の処理が行われる。
またこの場合ローカルカメラ１ｓはスチルカメラであるため、撮像信号処理部１４は、記録再生部１５に対しては、撮像部１３で得られた動画信号（連続するフレームの画像信号）のうちローカル制御部１０の制御に基づくタイミング、つまりシャッタスイッチ１８が押されたタイミングのフレームの画像信号を供給する。
またユーザーが被写体を探したり狙ったりしている時点では、ユーザーは、例えばビューファインダや液晶パネルなどの表示部１７で被写体状況を確認しているが、このため撮像信号処理部１４は表示処理部１６に対して動画としての画像信号を供給する。
【００２７】
記録再生部１５は、ローカル制御部１０の制御に基づいて、撮像信号処理部１４からのローカル画像ＶＦを記録メディア１９に記録する処理を行う。撮像画像の記録はユーザーのシャッタ操作に応じて行われる。ユーザーがシャッタスイッチ１８を押すことに応じて、ローカル制御部１０は記録再生部１５にローカル画像ＶLの記録メディア１９への記録を実行させる。
記録メディア１９としては、例えば、固体メモリが内蔵された着脱式のメモリカード、光ディスク、光磁気ディスク、磁気ディスク、磁気テープなど、可搬性の記録媒体でも良いし、内蔵型の固体メモリやハードディスク（ＨＤＤ）など装置内に固定的に配置される記録媒体でも良い。
記録再生部１５は、記録メディア１９として採用されるメディア種別に対応して、ローカル画像ＶL及びそれに付随する情報を記録メディア１９に記録し、また再生するための機構及び回路を備える。
例えば記録メディア１９がディスク記録媒体であれば、記録再生部１５には、例えばディスクメディア９０に対する挿入／排出機構、記録再生ヘッド、スピンドルモータ等の駆動系、サーボ系などを備える。また記録メディア１９がメモリカード等の媒体であれば、メモリカードとの接続機構（カードスロット等）やアクセス及びインターフェース回路系を備える。
【００２８】
また記録再生部１５はローカル制御部１０の制御に基づいて、記録メディア１９に記録されたローカル画像ＶLの再生を行う。そして再生したローカル画像ＶLは表示処理部１６に供給する。
表示処理部１６は、再生されたローカル画像ＶLについて、記録フォーマットに対するデコード処理やエラー訂正処理、圧縮解凍処理等を行い、また表示のための輝度／色信号処理、ＲＧＢ処理、ゲイン調整等を行って表示部１７に供給する。
【００２９】
表示部１７は、ビューファインダ形式或いは液晶パネル形式などとしてローカルカメラ１ｓに設けられている表示部であり、ユーザーが撮像中の被写体のモニタリングや再生映像のモニタリングができるようにするための表示部である。
ローカルカメラ１ｓが撮像モードとされている場合は、撮像信号処理部１４からの被写体の動画データが表示処理部１６で処理され、表示部１７に表示される。
またローカルカメラ１ｓが再生モードとされている場合は、記録再生部１５で再生された静止画画像データが表示処理部１６で処理され、表示部１７に表示される。
【００３０】
送信部１１及びアンテナ１２は、ローカル制御部１０の制御に基づいてデータを外部装置、特にはコモンカメラ２ｓに無線送信する。本例の場合、ローカル制御部１０は送信部１１からトリガ信号ＴＧを送信させる。
【００３１】
なお図示していないが、ローカルカメラ１ｓにおいて、外部のパーソナルコンピュータ、オーディオ／ビデオ機器、その他の装置との各種インターフェースが設けられ、画像データや、その他の各種データの入出力が可能とされることは当然考えられる。
【００３２】
コモンカメラ２ｓは、コモン制御部３０、撮像部３１、撮像信号処理部３２、記録再生部３３、受信部３４を備える。
なお、これらは後述する本例の特徴的な動作に対応して必要となる部位として示しているが、これ以外に、図示していないが、通常スチルカメラとして設けられるモニタ表示部や操作部、その他必要な構成も備えている。
【００３３】
コモン制御部３０はマイクロコンピュータによって形成され、図示しない操作部による操作や、内部メモリに保持する動作プログラムに基づいて、コモンカメラ２ｓ内の各部の制御を行う。破線矢印は、コモン制御部３０による各部への制御信号の供給を示している。
例えばコモン制御部３０は、操作に応じて電源操作、ズーム操作、表示モード操作、再生操作や、シャッタ操作になどに応じて各部に必要な動作指示を与える。
【００３４】
撮像部３１は、撮像レンズ、ズームレンズや絞りなどを備えて構成されるレンズ系、レンズ系に対してフォーカス動作やズーム動作を行わせるための駆動系を備える。また撮像部３１は、上記レンズ系で得られる撮像光を検出し、光電変換を行うことで撮像信号を生成する撮像素子部としてＣＣＤ(Charge Coupled Device)センサアレイもしくはＣＭＯＳセンサアレイを備える。また、撮像素子部から画素信号を読み出す垂直、水平走査回路や、撮像素子部から読み出される信号に対するゲイン調整や波形整形を行うサンプルホールド／ＡＧＣ(Automatic Gain Control)回路、Ａ／Ｄコンバータなどを備える。撮像部３１はこれらの構成により被写体を撮像した画像信号として、デジタル画像データを出力する。
撮像部３１における撮像信号の読出動作、フォーカス／ズーム駆動系動作、信号処理などは、操作等に応じてコモン制御部３０によって制御される。
【００３５】
撮像信号処理部３２は、撮像部３１から出力される撮像画像信号に対して各種の信号処理を行う。例えばホワイトバランス調整、クランプ処理、補正処理、輝度処理、色差処理等を行う。
さらには、撮像画像信号の圧縮符号化処理やフォーマット処理を行って、記録再生部３３において記録メディア３６に記録する画像信号（コモン画像Ｖｃ）を生成したり、図示しない表示部で表示させる画像信号を生成する。
圧縮符号化処理としては、例えばＭＰＥＧ(Moving Picture Experts Group)方式、ＪＰＥＧ (Joint Photographic Experts Group)方式或いは他の圧縮方式の処理が行われる。
またこの場合コモンカメラ２ｓはスチルカメラであるため、撮像信号処理部３２は、記録再生部３３に対しては、撮像部３１で得られた動画信号（連続するフレームの画像信号）のうちコモン制御部３０の制御に基づくタイミングのフレームの画像信号を供給する。後述するが、コモンカメラ２側では、コモン制御部３０はローカルカメラ１ｓからトリガ信号ＴＧが送信されてきたタイミングをシャッタタイミングとして扱って、撮像信号処理部３２を制御する。
なお、図示しない表示部としての例えばビューファインダや液晶パネルなどに対しては、被写体状況のモニタのために、撮像信号処理部３２はその表示部の表示処理系に動画としての画像信号を供給する。
【００３６】
記録再生部３３は、コモン制御部３０の制御に基づいて、撮像信号処理部３２からのコモン画像Ｖｃを記録メディア３６に記録する処理を行う。撮像画像の記録はトリガ信号ＴＧの受信に応じて行われる。つまりトリガ信号ＴＧが受信されることに応じて、コモン制御部３０は記録再生部３３にコモン画像Ｖｃの記録メディア３６への記録を実行させる。なお、当然ながら、図示しない操作部のシャッタ操作に応じて記録を行わせることもできる。
記録メディア３６としては、ローカルカメラ１ｓの場合と同様に、例えば、固体メモリが内蔵された着脱式のメモリカード、光ディスク、光磁気ディスク、磁気ディスク、磁気テープなど、可搬性の記録媒体でも良いし、内蔵型の固体メモリやハードディスク（ＨＤＤ）など装置内に固定的に配置される記録媒体でも良い。
記録再生部３３は、記録メディア３６として採用されるメディア種別に対応して、コモン画像Ｖｃ及びそれに付随する情報を記録メディア３６に記録し、また再生するための機構及び回路を備える。
また記録再生部３３は、記録メディア３６から再生した画像を、図示しない表示部で表示されるように、表示処理系に供給することも行う。
【００３７】
受信部３４及びアンテナ３５は、ローカルカメラ１ｓからの無線送信に対応する受信系として設けられる。本例の場合、ローカルカメラ１ｓからトリガ信号ＴＧが送信されてくるが、受信部３４及びアンテナ３５でこれを受信し、コモン制御部３０に供給する。
【００３８】
なお、コモンカメラ２ｓにおいて、外部のパーソナルコンピュータ、オーディオ／ビデオ機器、その他の装置との各種インターフェースが設けられ、画像データや、その他の各種データの入出力が可能とされることは当然考えられる。
【００３９】
このようなローカルカメラ１ｓ及びコモンカメラ２ｓにおいて、本例の特徴的な動作を図３で説明する。
図３ではローカル制御部１０の処理とコモン制御部３０の処理として撮像画像を記録する場合の処理を示している。なお、図３の処理は、ローカルカメラ１ｓ、コモンカメラ２ｓのいずれも、電源投入され、かつ撮像モードとして被写体の画像撮像（モニタ表示）を行っている状態（つまりシャッタタイミングを待つ状態）である場合に行われる。
【００４０】
ローカル制御部１０は、ステップＦ１０１でユーザーによるシャッタスイッチ１８の操作を検出すると、ステップＦ１０２でトリガ信号ＴＧを送信部１１から送信させる。
そして同時にステップＦ１０３で静止画記録制御を行う。つまり撮像信号処理部１４及び記録再生部１５を制御して、シャッタタイミングでの撮像画像（ローカル画像ＶL）の記録を実行させる。
一方、コモン制御部３０は、ステップＦ２０１として受信部３４によりトリガ信号ＴＧが受信されることを監視しており、トリガ信号ＴＧを受信したら、ステップＦ２０２で静止画記録制御を行う。つまり撮像信号処理部３２及び記録再生部３３を制御して、トリガ受信タイミングでの撮像画像（コモン画像Ｖｃ）の記録を実行させる。
【００４１】
この処理により、ユーザーがローカルカメラ１ｓでシャッタ操作を行うことで、同じタイミングでコモンカメラ２ｓで画像撮像／記録が行われる。つまりローカルカメラ１ｓとコモンカメラ２ｓにおいて、同じタイミングの画像撮像／記録が行われる。
今、ローカルカメラ１ｓはユーザーが運動会等で自分の子供を被写体として狙っており、或るタイミングでシャッタ操作を行ったとする。一方、コモンカメラ２ｓ側は、常時、運動会の全体を被写体として狙っているとする。
この場合、例えばユーザーはローカルカメラ１ｓにおいて図４（ａ）のようなローカル画像ＶLを撮像／記録したものとしたとき、コモンカメラ２ｓ側では、その撮像タイミングでのトリガ信号ＴＧに応じて、図４（ｂ）のような競技の全体的な光景をコモン画像Ｖｃとして記録させる。
つまり、一例であるが、ローカルカメラ１ｓにおいてユーザーが個人的に選択した光景がローカル画像ＶLとして撮像／記録され、コモンカメラ２ｓにおいては、ローカル画像ＶLと同じタイミングでの全体的な光景がコモン画像Ｖｃとして撮像／記録される。
【００４２】
図４（ｃ）（ｄ）にローカルカメラ１ｓ側の記録再生部１５内の記録メディア１９と、コモンカメラ２ｓ側の記録再生部３３での記録メディア３６の記録状態を示している。例えば図４（ｃ）のように、ローカルカメラ１ｓのユーザーが任意のタイミングでシャッタ操作を行い、それによってローカル画像ＶL１，ＶL２，ＶL３が記録メディア１９に記録されたとする。
この場合、コモンカメラ２ｓ側では、記録メディア３６に、コモン画像Ｖｃ１，Ｖｃ２，Ｖｃ３が記録された状態となる。コモン画像Ｖｃ１，Ｖｃ２，Ｖｃ３は、それぞれローカル画像ＶL１，ＶL２，ＶL３と同じタイミングの画像となる。
【００４３】
以上のように本例では、例えばユーザーは、単にローカルカメラ１ｓにより任意のタイミングでシャッタ操作を行い、撮像画像を記録させていくだけで、コモンカメラ２ｓ側において、同じタイミングでの他の画像、例えば全体的な光景の画像や、異なるアングルの画像など、コモンカメラ２ｓ側で被写体として選択された画像が記録される。
ユーザーは、何らかの手法で、コモンカメラ２ｓ側で記録されたコモン画像Ｖｃを入手することで、多様かつ満足度の高い画像を得ることができる。
例えばコモンカメラ２ｓは、サービス業者が設置するものとすれば、サービス業者からコモン画像Ｖｃを購入すればよい。もちろん一般ユーザーがコモンカメラ２ｓも所有すれば、自分で設置して、ローカルカメラ１ｓと同期した撮像／記録を実行させてばよい。
【００４４】
２−２．第２の実施の形態
同じくローカルカメラ１とコモンカメラ２のいずれもがスチルカメラである例において、第２の実施の形態を図５，図６，図７で説明する。
なお、以降説明する各実施の形態の構成において、既に説明した実施の形態と同一機能部分については同一符号を付し、繰り返しの説明は避ける。
【００４５】
上記第１の実施の形態では、コモンカメラ２ｓ側でローカルカメラ１ｓと同期してコモン画像Ｖｃの撮像／記録を実行するものとし、例えばローカルカメラ１ｓのユーザーは後に何らかの方法で、コモン画像Ｖｃを入手すればよいとした。
ここで、上記のようにローカルカメラ１ｓのユーザーがコモンカメラ２ｓも所有している場合は、そのユーザーは問題なくコモン画像Ｖｃを入手できる。
またコモンカメラ２ｓをサービス業者が提供する場合であっても、コモンカメラ２ｓとローカルカメラ１ｓが１対１の関係でシステムが構築されるのであれば、コモンカメラ２ｓで記録されたコモン画像Ｖｃは、全てローカルカメラ１ｓでの撮像／記録と同期して撮像／記録された画像であるため、その場合ローカルカメラ１ｓのユーザーは、コモン画像Ｖｃを全て入手対象とすればよい。
ところが、サービス業者がコモンカメラ２ｓを設置し、それに対して多数のユーザーがローカルカメラ１ｓを所持する場合は、コモンカメラ２ｓ側で記録される各コモン画像Ｖｃが、どのユーザーに対応する画像であるのか区別しなければならないことになる。つまり、複数のローカルカメラ１ｓから送信されてくるトリガ信号ＴＧに応じてコモンカメラ２ｓ側でコモン画像Ｖｃの記録が行われるためである。
【００４６】
そこで本例では、コモン画像Ｖｃに対応させてローカルカメラ１ｓの識別情報（ＩＤ）を記録するようにするものである。
図５に構成を示すが、ローカルカメラ１ｓには、ＩＤ記憶部２０が設けられ、そのローカルカメラ１ｓに固有のＩＤ（識別コード情報）が記憶される。このＩＤは、ローカルカメラ１ｓとしての機器に、製造時等に固定的に与えられるシリアルナンバ等でも良いし、サービス業者が契約したユーザーに発行し、ＩＤ記憶部２０に書き込むようなものでも良い。ＩＤ記憶部２０としての、ＲＯＭ、ＲＡＭ、フラッシュメモリ等の種別はこれらＩＤの形態に応じたものであればよいし、もちろんローカル制御部１０としてのマイクロコンピュータの内部メモリであってもよい。更には、ローカルカメラ１ｓに装着されるメモリーカード等のリムーバブルメモリや、ローカルカメラ１ｓで撮像画像を記録するための記録媒体であってメモリを備えたもの（いわゆるメモリーインカセット（ＭＩＣ））等であってもよい。
ローカル制御部１０は、トリガ信号ＴＧを送信部１１から送信する際には、ＩＤ記憶部２０に記憶されたＩＤも併せて送信する。
【００４７】
コモンカメラ２ｓ側においては、受信部３４は、トリガ信号ＴＧと共にＩＤを受信し、コモン制御部３０に受け渡す。コモン制御部３０は、記録再生部３３に対して、ＩＤを記録データとして供給し、コモン画像Ｖｃと対応させて記録メディア３６に記録するように制御する。
【００４８】
図６にローカル制御部１０の処理とコモン制御部３０の処理を示す。この処理も上記図３と同じく、ローカルカメラ１ｓ、コモンカメラ２ｓのいずれも、電源投入され、かつ撮像モードとして被写体の画像撮像（モニタ表示）を行っている状態（つまりシャッタタイミングを待つ状態）である場合に行われる。
【００４９】
ローカル制御部１０は、ステップＦ１１１でユーザーによるシャッタスイッチ１８の操作を検出すると、ステップＦ１１２でＩＤ記憶部２０に記憶されたＩＤをトリガ信号ＴＧと共に送信部１１に供給し、送信部１１から送信させる。
そしてステップＦ１１３でローカル画像ＶLの静止画記録制御を行う。
一方、コモン制御部３０は、ステップＦ２１１として受信部３４によりトリガ信号ＴＧが受信されることを監視しており、トリガ信号ＴＧを受信したら、ステップＦ２１２でトリガ信号ＴＧと共に受信されたＩＤを記録データとして取り込む。そしてステップＦ２１３で、コモン画像Ｖｃとしての静止画と、それに対応するＩＤの記録制御を行う。つまり撮像信号処理部３２及び記録再生部３３を制御して、トリガ受信タイミングでの撮像画像（コモン画像Ｖｃ）の記録を実行させるとともに、ＩＤをそのコモン画像Ｖｃに対する付加データとして記録メディア３６に記録させる。
ここでＩＤの記録は、記録メディア３６とは別の媒体に対して行っても良い。例えば記録メディア３６としてメモリを備えたカセットテープ（上記したＭＩＣ）を用いた場合、コモン画像Ｖｃをカセット内の磁気テープに記録し、ＩＤを同じくカセット内の上記メモリに記録するようにしてもよい。
【００５０】
この処理により、コモンカメラ２ｓ側では、各ローカルカメラ１ｓのＩＤと共にコモン画像Ｖｃが記録されていく。
図７に、２つのローカルカメラ１ｓとコモンカメラ２ｓにおける画像記録の様子を示す。
２つのローカルカメラ１ｓは、それぞれＩＤが、ＩＤ１，ＩＤ２とされているとする。
ＩＤ１のローカルカメラ１ｓでは、或るユーザーが３回シャッタ操作を行い、図示するように記録メディア１９にローカル画像ＶL１，ＶL２，ＶL３が記録されたとする。
またＩＤ２のローカルカメラ１ｓを所持する他のユーザーは、１回シャッタ操作を行い、図示するように記録メディア１９にローカル画像ＶL１が記録されたとする。
コモンカメラ２ｓ側では、各ローカルカメラ１ｓからのトリガ信号ＴＧの受信に応じてコモン画像Ｖｃの記録を行うため、２台のローカルカメラ１ｓから合計４回送信されてきたトリガ信号ＴＧに応じて、４つのコモン画像Ｖｃ１，Ｖｃ２，Ｖｃ３，Ｖｃ４が記録メディア３６に記録されることになる。
【００５１】
ここでコモン画像Ｖｃ１にはＩＤ１，コモン画像Ｖｃ２にはＩＤ２，コモン画像Ｖｃ３にはＩＤ２，コモン画像Ｖｃ４にはＩＤ１が、それぞれ対応して記録されている。
つまり、コモン画像Ｖｃ１はＩＤ１のローカルカメラ１ｓによってローカル画像ＶL１の記録が行われた際のトリガ信号ＴＧに基づいて記録されたもので、同時に送信されてきたＩＤ１が付加されている。
コモン画像Ｖｃ２はＩＤ１のローカルカメラ１ｓによってローカル画像ＶL２の記録が行われた際のトリガ信号ＴＧに基づいて記録されたもので、同時に送信されてきたＩＤ１が付加されている。
コモン画像Ｖｃ３はＩＤ２のローカルカメラ１ｓによってローカル画像ＶL１の記録が行われた際のトリガ信号ＴＧに基づいて記録されたもので、同時に送信されてきたＩＤ２が付加されている。
コモン画像Ｖｃ４はＩＤ１のローカルカメラ１ｓによってローカル画像ＶL３の記録が行われた際のトリガ信号ＴＧに基づいて記録されたもので、同時に送信されてきたＩＤ１が付加されている。
【００５２】
このようにコモン画像Ｖｃにローカルカメラ１ｓのＩＤが対応されて記録されることで、記録メディア３６におけるコモン画像Ｖｃは、それぞれがどのローカルカメラ１ｓ（ユーザー）に提供すべき画像であるかがわかることになる。
図７の場合、後にコモン画像Ｖｃ１，Ｖｃ２，Ｖｃ４は、ＩＤ１のローカルカメラ１ｓのユーザーに提供されればよく、またコモン画像Ｖｃ３は、ＩＤ２のローカルカメラ１ｓのユーザーに提供されればよいものとすることができる。
このようにＩＤによって、各コモン画像Ｖｃが複数のローカルカメラ１ｓのどれに対応する画像かが判別できることで、複数のローカルカメラ１ｓを対象とした画像サービスシステムを構築できることになる。
【００５３】
ところでローカルカメラ１ｓにおいてＩＤ記憶部２０に記憶されるＩＤは、機器のシリアルナンバ等以外に、サービス業者が発行する識別コードでもよいと述べた。
サービス業者が各ローカルカメラ１ｓに対するＩＤを発行することで、それを本撮像システムによる画像提供サービスの実施上の実務に利用できる。
例えばサービスを享受したいユーザーは、予めコモンカメラ２ｓを設けるサービス業者に対してＩＤ発行を要求する。そしてそのＩＤを自分のローカルカメラ１ｓに記憶させる。
例えばサービス業者がＩＤを記録した記録メディア１９を提供し、ローカル制御部１０が記録再生部１５でＩＤを読み込ませてＩＤ記憶部２０に取り込むようにする。或いはインターネット等のネットワークでユーザーがサービス業者からＩＤをダウンロードし、ローカルカメラ１ｓに取り込むことができるようにしてもよい。もちろん発行されたＩＤをユーザーが操作キー等によってローカルカメラ１ｓに入力できるようにしてもよい。
これらのような何らかの方法でサービス業者が発行するＩＤをユーザーがＩＤ記憶部２０に記憶させるようにする。
コモンカメラ２ｓ側では、トリガ信号ＴＧとともに正しいＩＤが送信されてきた場合に、それを正当なユーザーからのトリガ信号であると判断して、コモン画像Ｖｃの記録を行うようにする。
このようなシステムとすれば、ＩＤ発行に伴う課金や、不正な利用の排除が可能となる。さらにＩＤ発行時にユーザーの氏名、住所、メールアドレスなどの個人情報をＩＤと対応させておくことで、後の画像提供サービスも円滑に可能となるなど、実際の業務運営上でＩＤをより有効に利用できるものとできる。
【００５４】
また、ＩＤを機器固有の固定的なものとしても、同様の対応は可能である。例えばユーザーは画像提供サービスを受けたい場合には、機器のＩＤをサービス業者に通知して登録を受ける。このとき個人情報を提供したり登録料を支払うなどとしてもよい。
コモンカメラ２ｓ側では、トリガ信号ＴＧとともに正しく登録されたＩＤが送信されてきた場合に、それを正当なユーザーからのトリガ信号であると判断して、コモン画像Ｖｃの記録を行うようにする。これによって登録を受けたユーザーがコモンカメラ２ｓによるサービスを享受できるものとなり、適切なビジネス運営が可能となる。
【００５５】
２−３．第３の実施の形態
同じくローカルカメラ１とコモンカメラ２のいずれもがスチルカメラである例において、第３の実施の形態を図８，図９，図１０で説明する。
第３の実施の形態は、コモンカメラ２ｓ側では、コモン画像Ｖｃに対応させて各種メタデータを記録する。メタデータとしては、ローカルカメラ１ｓ側で発生させるメタデータＭＴＤLと、コモンカメラ２ｓ側で発生させるメタデータＭＴＤｃが考えられるが、本例では、コモンカメラ２ｓ側の記録メディア３６には、この両方のメタデータＭＴＤL、ＭＴＤｃがコモン画像Ｖｃに対応されて記録されるものとする。
【００５６】
図８に構成を示す。
図５に示した構成に加え、図８の場合、ローカルカメラ１ｓには、メタデータ発生部２１が設けられる。
ローカル制御部１０は、トリガ信号ＴＧを送信部１１から送信する際には、ＩＤ記憶部２０に記憶されたＩＤと、メタデータ発生部２１で発生されるメタデータＭＴＤLも併せて送信させる。
【００５７】
コモンカメラ２ｓ側においては、受信部３４は、トリガ信号ＴＧと共にＩＤ及びメタデータＭＴＤLを受信し、コモン制御部３０に受け渡す。
またコモンカメラ２ｓにはメタデータ発生部３７が設けられる。
コモン制御部３０は、受信されたＩＤ、メタデータＭＴＤLと、メタデータ発生部３７で発生されたメタデータＭＴＤｃを、記録再生部１５に対して記録データとして供給し、コモン画像Ｖｃと対応させて記録メディア３６に記録するように制御する。
なお、発生されるメタデータＭＴＤL、ＭＴＤｃの内容例については後述する。
【００５８】
図９にローカル制御部１０の処理とコモン制御部３０の処理を示す。この処理も上記図３と同じく、ローカルカメラ１ｓ、コモンカメラ２ｓのいずれも、電源投入され、かつ撮像モードとして被写体の画像撮像（モニタ表示）を行っている状態（つまりシャッタタイミングを待つ状態）である場合に行われる。
【００５９】
ローカル制御部１０は、ステップＦ１２１でユーザーによるシャッタスイッチ１８の操作を検出すると、ステップＦ１２２でＩＤ記憶部２０に記憶されたＩＤと、メタデータ発生部２１で発生されたメタデータＭＴＤLを、トリガ信号ＴＧと共に送信部１１に供給し、送信部１１から送信させる。
そしてステップＦ１２３でローカル画像ＶLの静止画記録制御を行う。
一方、コモン制御部３０は、ステップＦ２２１として、受信部３４でトリガ信号ＴＧが受信されることを監視しており、トリガ信号ＴＧを受信したら、ステップＦ２２２でトリガ信号ＴＧと共に受信されたＩＤ及びメタデータＭＴＤLを記録データとして取り込む。またステップＦ２２３で、メタデータ発生部３７でメタデータＭＴＤｃを発生させ、そのメタデータＭＴＤｃを記録データとして取り込む。
そしてステップＦ２２４で、コモン画像Ｖｃとしての静止画と、それに対応するＩＤ、メタデータＭＴＤL、ＭＴＤｃの記録制御を行う。つまり撮像信号処理部３２及び記録再生部３３を制御して、トリガ受信タイミングでの撮像画像（コモン画像Ｖｃ）の記録を実行させるとともに、ＩＤ、メタデータＭＴＤL、ＭＴＤｃをそのコモン画像Ｖｃに対する付加データとして記録メディア３６に記録させる。
ここで、ＩＤ，メタデータＭＴＤL、ＭＴＤｃの記録は、記録メディア３６とは別の媒体に対して行っても良い。例えば記録メディア３６として、上記したＭＩＣを用いた場合、コモン画像Ｖｃをカセット内の磁気テープに記録し、ＩＤ及びメタデータＭＴＤL、ＭＴＤｃを同じくカセット内の上記メモリに記録するようにしてもよい。
【００６０】
この処理により、コモンカメラ２ｓ側では、各ローカルカメラ１ｓのＩＤやメタデータＭＴＤL、ＭＴＤｃと共にコモン画像Ｖｃが記録されていく。
図１０に、２つのローカルカメラ１ｓとコモンカメラ２ｓにおける画像記録の様子を示す。上記図７と同様に、２つのローカルカメラ１ｓは、それぞれＩＤが、ＩＤ１，ＩＤ２とされているとし、ＩＤ１のローカルカメラ１ｓでは記録メディア１９にローカル画像ＶL１，ＶL２，ＶL３が記録されたとする。またＩＤ２のローカルカメラ１ｓでは記録メディア１９にローカル画像ＶL１が記録されたとする。
【００６１】
コモンカメラ２ｓ側では、各ローカルカメラ１ｓからのトリガ信号ＴＧの受信に応じてコモン画像Ｖｃの記録を行うため、２台のローカルカメラ１ｓから合計４回送信されてきたトリガ信号ＴＧに応じて、４つのコモン画像Ｖｃ１，Ｖｃ２，Ｖｃ３，Ｖｃ４が記録メディア３６に記録される。
ここでコモン画像Ｖｃ１はＩＤ１のローカルカメラ１ｓによってローカル画像ＶL１の記録が行われた際のトリガ信号ＴＧに基づいて記録されたもので、同時に送信されてきたＩＤ１とメタデータＭＴＤL、さらにその際に発生させたメタデータＭＴＤｃが付加されている。
コモン画像Ｖｃ２はＩＤ１のローカルカメラ１ｓによってローカル画像ＶL２の記録が行われた際のトリガ信号ＴＧに基づいて記録されたもので、同時に送信されてきたＩＤ１とメタデータＭＴＤL、さらにその際に発生させたメタデータＭＴＤｃが付加されている。
コモン画像Ｖｃ３はＩＤ２のローカルカメラ１ｓによってローカル画像ＶL１の記録が行われた際のトリガ信号ＴＧに基づいて記録されたもので、同時に送信されてきたＩＤ２とメタデータＭＴＤL、さらにその際に発生させたメタデータＭＴＤｃが付加されている。
コモン画像Ｖｃ４はＩＤ１のローカルカメラ１ｓによってローカル画像ＶL３の記録が行われた際のトリガ信号ＴＧに基づいて記録されたもので、同時に送信されてきたＩＤ１とメタデータＭＴＤL、さらにその際に発生させたメタデータＭＴＤｃが付加されている。
【００６２】
コモン画像Ｖｃにローカルカメラ１ｓのＩＤが対応されて記録されることによっては、上記第２の実施の形態で説明した効果が得られる。
さらにコモン画像ＶｃにメタデータＭＴＤL、ＭＴＤｃが対応されて記録されることで、より多様な情報をコモン画像Ｖｃに対応づけて与えることができる。メタデータＭＴＤL、ＭＴＤｃの内容例と共に述べる。
【００６３】
ローカルカメラ１ｓのメタデータ発生部２１で発生させるメタデータＭＴＤLとしては、例えば時刻情報、位置情報、記録メディア１９におけるローカル画像ＶLの記録位置のアドレス情報、今回撮像しているローカル画像のナンバリング情報（例えば何枚目の写真かを示す値）、ユーザの個人情報などが考えられる。
メタデータＭＴＤLに時刻情報を含む場合は、メタデータ発生部２１に日時計数回路を備えればよい。
メタデータＭＴＤLに位置情報を含む場合は、メタデータ発生部２１に例えばＧＰＳ受信器及び位置情報発生回路を備え、経度・緯度の位置情報を発生させるようにすればよい。
メタデータＭＴＤLにナンバリング情報を含む場合は、メタデータ発生部２１に例えば記録（シャッタ操作）に応じてカウントアップされるカウンタ回路が設けられればよい。
またメタデータＭＴＤLに個人情報を含む場合は、メタデータ発生部２１に、予め入力された個人情報を記憶する記憶部等が設けられればよい。
メタデータＭＴＤLに記録メディア１９におけるローカル画像ＶLの記録位置のアドレス情報を含む場合は、メタデータ発生部２１は、ローカル制御部１０の内部レジスタとされればよい。即ち記録再生部１５に指示する記録アドレスを設定するレジスタとする。
もちろん、これら以外の各種の情報もメタデータＭＴＤLとして考えられる。
【００６４】
コモンカメラ２ｓのメタデータ発生部３７で発生させるメタデータＭＴＤLとしては、例えば時刻情報、位置情報、記録メディア３６におけるコモン画像Ｖｃの記録位置のアドレス情報、今回撮像しているコモン画像のナンバリング情報（例えば何枚目の写真かを示す値）、コモン画像Ｖｃに与えるタイトルやコメントなどの情報などが考えられる。
メタデータＭＴＤｃに時刻情報を含む場合は、メタデータ発生部３７に日時計数回路を備えればよい。
メタデータＭＴＤｃに位置情報を含む場合は、メタデータ発生部３７に例えばＧＰＳ受信器及び位置情報発生回路を備え、経度・緯度の位置情報を発生させるようにすればよい。
メタデータＭＴＤｃにナンバリング情報を含む場合は、メタデータ発生部３７に例えば記録（トリガ受信）に応じてカウントアップされるカウンタ回路が設けられればよい。
メタデータＭＴＤｃに記録メディア３６におけるコモン画像Ｖｃの記録位置のアドレス情報を含む場合は、メタデータ発生部３７は、コモン制御部３０の内部レジスタとされればよい。即ち記録再生部３３に指示する記録アドレスを設定するレジスタとする。
またメタデータＭＴＤｃにタイトルやコメントなどの情報を含むようにする場合は、メタデータ発生部２１に、予め入力されたテキスト情報や、或いはイベントプログラムの情報などが処理する情報処理部が設けられればよい。例えばイベントプログラム等としてイベントの進行情報を予め与えておけば、トリガ受信の時点の現在時刻から被写体の内容がどのようなものであるかを判別できる。例えば運動会やコンサート、イベント等のプログラムと時刻が正しく管理されていれば、トリガ受信によってコモン画像Ｖｃを記録した時点で、そのコモン画像Ｖｃがどのような競技或いはショー等の写真かを判別できる。従って競技名やイベントの出演者などの情報をメタデータＭＴＤｃとして発生させることができる。
もちろん、これら以外の各種の情報もメタデータＭＴＤｃとして考えられる。
【００６５】
メタデータＭＴＤL、ＭＴＤｃとしての内容に応じて、多様なサービスが可能となる。
時刻情報や位置情報を含めば、ユーザーとサービス業者間で、個々の写真画像を特定でき、例えばユーザが希望するコモン画像Ｖｃを選択的に提供することなどが可能となる。
またユーザーサイドで記録した個々のローカル画像ＶLとコモン画像Ｖｃとの対応関係も、ＩＤ及び時刻情報によって可能となる。これは記録メディア１９のアドレス情報によっても可能である。記録メディア３６上で、各コモン画像Ｖｃについて対応するローカル画像ＶLが判別できることで、ユーザーが自分で撮像したローカル画像ＶLを中で一部について対応するコモン画像Ｖｃがほしいという要求があった場合にも容易に対応できるものとなる。
メタデータＭＴＤLとしてユーザーの個人情報等が記録されれば、サービス業者側では各コモン画像Ｖｃについて提供すべきユーザーを個々に判別できる。
メタデータＭＴＤｃとしてタイトルや内容等が含まれていれば、コモン画像Ｖｃの提供を受けたユーザーにとって、そのメタデータＭＴＤｃが画像データの内容整理のうえで好適である。
これらのように、各種のメタデータＭＴＤｃ、ＭＴＤLの内容によってサービス運営上の利点、業者側やユーザー側の利便性等を得ることができる。
【００６６】
なお、ローカルカメラ１ｓ側にメタデータ発生部２１を設けず、コモン画像Ｖｃに対応してコモンカメラ２ｓ側のメタデータ発生部３７で発生させたメタデータＭＴＤｃのみがコモン画像Ｖｃに対応して記録されても良い。
逆に、コモンカメラ２ｓ側にメタデータ発生部３７を設けず、コモン画像Ｖｃに対応してローカルカメラ１ｓ側のメタデータ発生部２１で発生させたメタデータＭＴＤLのみがコモン画像Ｖｃに対応して記録されても良い。
さらに、ローカルカメラ１ｓ側の記録再生部１５において、ローカル画像ＶLに対応してメタデータ発生部２１で発生させたメタデータＭＴＤLを記録させるようにしてもよい。
【００６７】
２−４．第４の実施の形態
同じくローカルカメラ１とコモンカメラ２のいずれもがスチルカメラである例において、第４の実施の形態を図１１，図１２，図１３で説明する。
この第４の実施の形態は、上記第３の実施の形態のようにコモンカメラ２ｓ側では、コモン画像Ｖｃに対応させてＩＤや各種メタデータを記録するが、それに加えて、ローカル画像ＶLも対応させて記録するものである。
【００６８】
図１１に構成を示す。
この場合、上記図８に示した構成とほぼ同様であるが、ローカルカメラ１ｓでは、記録再生部１５で再生したローカル画像ＶL及びメタデータＭＴＤLを送信部１１に供給できる構成とされる。
ローカル制御部１０は、シャッタスイッチ１８が操作されたタイミングにおいて、トリガ信号ＴＧを送信部１１から送信する際には、ＩＤ記憶部２０に記憶されたＩＤと、メタデータ発生部２１で発生されるメタデータＭＴＤLも併せて送信させる。
またそのとき、記録再生部１５でローカル画像ＶLと共に、メタデータＭＴＤLを記録させる。
さらにその後、ローカル制御部１０は、ＩＤ記憶部２０に記憶されたＩＤと、記録再生部１５で再生したローカル画像ＶL及びメタデータＭＴＤLを送信部１１に供給させて、送信させる。
【００６９】
コモンカメラ２ｓ側においては、受信部３４は、トリガ信号ＴＧと共にＩＤ及びメタデータＭＴＤLを受信し、コモン制御部３０に受け渡す。
また受信部３４は、ローカル画像ＶLと共にＩＤ及びメタデータＭＴＤLを受信した場合は、これらのデータをコモン制御部３０に受け渡す。
【００７０】
図１２にローカル制御部１０の処理とコモン制御部３０の処理を示す。この処理も上記図３と同じく、ローカルカメラ１ｓ、コモンカメラ２ｓのいずれも、電源投入され、かつ撮像モードとして被写体の画像撮像（モニタ表示）を行っている状態（つまりシャッタタイミングを待つ状態）である場合に行われる。
【００７１】
ローカル制御部１０は、ステップＦ１３１でユーザーによるシャッタスイッチ１８の操作を検出すると、ステップＦ１３２でＩＤ記憶部２０に記憶されたＩＤと、メタデータ発生部２１で発生されたメタデータＭＴＤLを、トリガ信号ＴＧと共に送信部１１に供給し、送信部１１から送信させる。
そしてステップＦ１３３でローカル画像ＶLの静止画記録制御を行う。このときローカル制御部１０は、上記ステップＦ１３２の際に発生させ送信させたメタデータＭＴＤLを記録再生部１５にも供給し、ローカル画像ＶLに対応づけて記録させる。
その後ステップＦ１３４では、ローカル制御部１０は、記録メディア１９に記録したローカル画像ＶLとメタデータＭＴＤLを再生させ、送信部１１に供給させる。またこのときＩＤ記憶部２０のＩＤも送信部１１に供給する。そして送信部１１からローカル画像ＶL、メタデータＭＴＤL、ＩＤを送信させる。
【００７２】
一方、コモン制御部３０は、ステップＦ２３１において受信部３４でトリガ信号ＴＧが受信されること、及びステップＦ２３５において受信部３４でローカル画像ＶLのデータが受信されることを監視している。
ある時点で、ステップＦ２３１においてトリガ信号ＴＧの受信を確認したら、コモン制御部３０の処理はステップＦ２３２に進み、トリガ信号ＴＧと共に受信されたＩＤ及びメタデータＭＴＤLを記録データとして取り込む。
続いてステップＦ２３３で、メタデータ発生部３７でメタデータＭＴＤｃを発生させ、そのメタデータＭＴＤｃを記録データとして取り込む。
そしてステップＦ２３４で、コモン画像Ｖｃとしての静止画と、それに対応するＩＤ、メタデータＭＴＤL、ＭＴＤｃの記録制御を行う。つまり撮像信号処理部３２及び記録再生部３３を制御して、トリガ受信タイミングでの撮像画像（コモン画像Ｖｃ）の記録を実行させるとともに、ＩＤ、メタデータＭＴＤL、ＭＴＤｃをそのコモン画像Ｖｃに対する付加データとして記録メディア３６に記録させる。
そしてステップＦ２３１，Ｆ２３５の受信監視ループに戻る。
【００７３】
ある時点で、ステップＦ２３５においてローカル画像ＶLの受信を確認したら、コモン制御部３０の処理はステップＦ２３６に進み、ローカル画像ＶLとしての静止画データ、及びそのローカル画像ＶLと共に受信されたＩＤ及びメタデータＭＴＤLを取り込む。
次にステップＦ２３７でＩＤ及びメタデータＭＴＤLの照合を行い、受信したローカル画像ＶLを、どのコモン画像Ｖｃに対応させるか判別する。
上記ステップＦ２３４では、コモン画像ＶｃにＩＤ及びメタデータＭＴＤLが付加されて記録されている。そしてステップＦ２３６で取り込んだＩＤ及びメタデータＭＴＤLは、コモン画像Ｖｃと同じタイミングにおいてローカルカメラ１ｓ側で記録メディア１９に記録され、それが再生されて送信されてきた情報である。従って、ステップＦ２３６で取り込んだＩＤ及びメタデータＭＴＤLと同じ内容のＩＤ及びメタデータＭＴＤLが付加されたコモン画像Ｖｃが、記録メディア３６に記録されているはずである。つまり受信したＩＤ及びメタデータＭＴＤLと、記録メディア３６において各コモン画像Ｖｃに対応づけられたＩＤ及びメタデータＭＴＤLを照合していき、一致するものを検索することで、今回送信されてきたローカル画像ＶLが、どのコモン画像Ｖｃに対応するものかが判別できる。
なお、このような一致照合のためには、メタデータＭＴＤLに時刻情報が含まれることが好適である。また位置情報も併せて照合しても良い。また、個人情報などがローカルカメラ１ｓを特定できる情報がメタデータＭＴＤLに含まれていれば、ステップＦ１３４でＩＤを送信すること、及びステップＦ２３７でＩＤを照合することは、必ずしも行われなくても良い。
【００７４】
上記照合処理により受信したローカル画像ＶLと記録済のコモン画像Ｖｃの対応関係の判別が完了したら、ステップＦ２３８で、ローカル画像ＶLを記録再生部３３に供給し、対応するコモン画像Ｖｃに関連づけて記録メディア３６に記録させる。
【００７５】
この処理により、コモンカメラ２ｓ側では、各ローカルカメラ１ｓのＩＤやメタデータＭＴＤL、ＭＴＤｃと共にコモン画像Ｖｃが記録されていき、またローカル画像ＶLが送信されてきた時点で、そのローカル画像ＶLがコモン画像Ｖｃに対応づけられて記録される。
【００７６】
図１３に、２つのローカルカメラ１ｓとコモンカメラ２ｓにおける画像記録の様子を示す。上記図７と同様に、２つのローカルカメラ１ｓは、それぞれＩＤが、ＩＤ１，ＩＤ２とされているとし、ＩＤ１のローカルカメラ１ｓでは記録メディア１９にローカル画像ＶL１，ＶL２，ＶL３が記録されたとする。またＩＤ２のローカルカメラ１ｓでは記録メディア１９にローカル画像ＶL１が記録されたとする。
ＩＤ１のローカルカメラ１ｓではローカル画像ＶL１，ＶL２，ＶL３にそれぞれ対応して例えばそれぞれの記録時点の時刻情報を含むがメタデータＭＴＤLが記録される。
またＩＤ２のローカルカメラ１ｓではローカル画像ＶL１に対応して例えばその記録時点の時刻情報を含むがメタデータＭＴＤLが記録される。
【００７７】
コモンカメラ２ｓ側では、各ローカルカメラ１ｓからのトリガ信号ＴＧの受信に応じてコモン画像Ｖｃの記録を行うため、２台のローカルカメラ１ｓから合計４回送信されてきたトリガ信号ＴＧに応じて、４つのコモン画像Ｖｃ１，Ｖｃ２，Ｖｃ３，Ｖｃ４が記録メディア３６に記録される。
そして上記図１０で説明した例と同様に、各コモン画像Ｖｃ１〜Ｖｃ４には、それぞれトリガ信号ＴＧと同時に送信されてきたＩＤ１とメタデータＭＴＤL、さらにその際に発生させたメタデータＭＴＤｃが付加されている。
その後、ローカルカメラ１ｓからローカル画像ＶLが送信され、上記ステップＦ２３５〜Ｆ２３８の処理が行われることに応じて、ローカル画像ＶLが特定のコモン画像Ｖｃに対応づけられて記録メディア３６に記録される。
コモン画像Ｖｃ１に対応してはＩＤ１のローカルカメラ１ｓからのローカル画像ＶL１が記録される。
コモン画像Ｖｃ２に対応してはＩＤ１のローカルカメラ１ｓからのローカル画像ＶL２が記録される。
コモン画像Ｖｃ３に対応してはＩＤ２のローカルカメラ１ｓからのローカル画像ＶL１が記録される。
コモン画像Ｖｃ４に対応してはＩＤ１のローカルカメラ１ｓからのローカル画像ＶL３が記録される。
【００７８】
このような本例によれば、ローカルカメラ１ｓとコモンカメラ２ｓで同時に記録されたローカル画像ＶLとコモン画像Ｖｃが、コモンカメラ２ｓ側の記録メディア３６に対応されて格納される状態となる。
従ってコモンカメラ２ｓを用いる例えばサービス業者は、ローカル画像ＶLとコモン画像Ｖｃの両方を利用して、より高いサービスをユーザーに提供できる。例えばローカル画像ＶLとコモン画像Ｖｃを関連づけて編集したり、合成するなど、ユーザー側で記録したローカル画像ＶLを含めて、個々のユーザーに特化したアルバム作成を行うことなども可能となる。
なお、ローカル画像ＶLを、コモン画像Ｖｃと個々に対応付けなくてもよい場合は、ステップＦ２３７の照合処理は不要であるが、その場合記録メディア３６には、ローカル画像ＶLとともにＩＤやメタデータＭＴＤLを記録することが好ましい。
【００７９】
２−５．第５の実施の形態
第５の実施の形態を図１４，図１５，図１６で説明する。
この第５の実施の形態は、ローカルカメラ１が動画撮像／記録を行うビデオカメラであり、コモンカメラ２側がスチルカメラである場合の例とする。
【００８０】
ローカルカメラ１ｖは、図面上の構成としては図２のローカルカメラ１ｓとほぼ同様となるが、記録再生部１５は撮像信号処理部１４からの動画映像を記録メディア１９に記録していく構成とされる。
また動画記録の開始／終了の操作をユーザーが行うためにビデオスイッチ２２が設けられる。例えばローカル制御部１０は、ビデオスイッチ２２が押されることにより記録再生部１５に動画記録を開始させ、再度ビデオスイッチ２２が押されることにより動画記録を終了させる。
図示しているシャッタスイッチ１８は、コモンカメラ２ｓ側に静止画記録を実行させるための操作子としている。つまりユーザーがトリガ信号ＴＧの送信を指示する操作子である。
なお、これら図示する部位以外に、通常ビデオカメラとして必要な回路、機構、操作部等の構成が設けられることは言うまでもない。また、図示していないがマイクロホンや音声処理系も設けられ、記録再生部１５では、動画映像と共に音声信号記録も行われる。
コモンカメラ２ｓ側の構成は図２と同様としている。
【００８１】
図１５にローカルカメラ１ｖとコモンカメラ２ｓの処理を示す。ローカルカメラ１ｖの処理は、ユーザーがローカルカメラ１ｖの電源をオンとし、動画記録（録画）のスタンバイ状態に或る時点での処理であり、コモンカメラ２ｓの処理は静止画記録可能な状態にあるときの処理である。
【００８２】
ローカルカメラ１ｖでは、録画を開始する前のスタンバイ状態において、撮像部１３で撮像した被写体の映像を表示部１７においてモニタ表示している。
ローカル制御部１０は、スタンバイ状態においてステップＦ１４１でシャッタスイッチ１８の操作を監視し、またステップＦ１４３でビデオスイッチ２２の録画スタート操作を監視している。
スタンバイ状態においてユーザーが録画開始の操作をしないまま、シャッタスイッチ１８を押した場合、ローカル制御部１０はステップＦ１４２の処理を行い、トリガ信号ＴＧを送信部１１に供給してトリガ信号ＴＧの送信を実行させる。
【００８３】
またスタンバイ状態においてユーザーがビデオスイッチ２２の操作を行った場合、ローカル制御部１０はステップＦ１４４として、動画記録を開始させる。即ち記録再生部１５で及び撮像信号処理部１４に対して動画記録の指示を出し、被写体の動画映像を記録メディア１９に記録させる動作を開始させる。
【００８４】
ステップＦ１４４で動画記録を開始させた後は、ローカル制御部１０はステップＦ１４５でシャッタスイッチ１８の操作を監視し、またステップＦ１４７でビデオスイッチ２２による録画ストップ操作を監視している。
そしてユーザーがシャッタスイッチ１８を押した場合、ローカル制御部１０はステップＦ１４６でトリガ信号ＴＧを送信部１１に供給してトリガ信号ＴＧの送信を実行させる。
またユーザーがビデオスイッチ２２の操作を行った場合、ローカル制御部１０はステップＦ１４８として、動画記録を停止させる。即ち記録再生部１５で及び撮像信号処理部１４に対して動画記録停止の指示を出し、被写体の動画映像を記録メディア１９に記録させる動作を終了させる。そしてステップＦ１４１，Ｆ１４３の監視ループに戻る。
【００８５】
一方、コモン制御部３０は、ステップＦ２４１として受信部３４によりトリガ信号ＴＧが受信されることを監視しており、トリガ信号ＴＧを受信したら、ステップＦ２４２で静止画記録制御を行う。つまり撮像信号処理部３２及び記録再生部３３を制御して、トリガ受信タイミングでの撮像画像（コモン画像Ｖｃ）の記録を実行させる。
【００８６】
この処理により、ユーザーがローカルカメラ１ｖでシャッタ操作を行うことで、コモンカメラ２ｓで画像撮像／記録が行われる。つまりローカルカメラ１ｖではユーザーは任意の期間の動画映像の録画を実行させると共に、コモンカメラ２ｓに対して任意の時点で静止画記録を実行させることができる。
【００８７】
図１６に、ローカルカメラ１ｖとコモンカメラ２ｓにおける画像記録の様子を示す。
ローカルカメラ１ｖのユーザーは、ある時点で録画スタート操作を行い、また任意の時点で録画ストップ操作を行うことで、ローカルカメラ１ｖの記録再生部１５における記録メディア１９には、動画映像としてのローカル画像ＶL１が記録される。
またその後、同様にある時点で録画スタート操作を行い、また任意の時点で録画ストップ操作を行うことで、記録メディア１９には、動画映像としてのローカル画像ＶL２が記録される。
【００８８】
このとき、ユーザーは、ローカル画像ＶL１の録画中にＴＧ１，ＴＧ２として示す時点でシャッタスイッチ１８を押したとする。この各時点では、ステップＦ１４６の処理でトリガ信号ＴＧの送信が行われるため、コモンカメラ２ｓ側で、静止画記録が行われるものとなる。これが、それぞれコモンカメラ２ｓ側の記録再生部３３における記録メディア３６に、静止画としてのコモン画像Ｖｃ１、Ｖｃ２として記録される。
また、ユーザーは、ローカル画像ＶL１の録画を終えた後、ローカル画像ＶL２の録画開始前の時点で２回、シャッタスイッチ１８を押したとする。その場合、各時点でステップＦ１４２の処理でトリガ信号ＴＧ（ＴＧ３，ＴＧ４）の送信が行われるため、コモンカメラ２ｓ側で、静止画記録が行われる。これが、コモンカメラ２ｓ側の記録再生部３３における記録メディア３６に、静止画としてのコモン画像Ｖｃ３、Ｖｃ４として記録される。
さらにユーザーは、ローカル画像ＶL２の録画中にＴＧ５として示す或る時点でシャッタスイッチ１８を押したとすると、この際のトリガ信号ＴＧ５に応じてコモンカメラ２ｓ側で静止画記録が行われ、コモンカメラ２ｓ側の記録再生部３３における記録メディア３６に、静止画としてのコモン画像Ｖｃ５として記録される。
【００８９】
このように本例の場合は、ユーザーはローカルカメラ１ｖにおいて任意の期間の動画映像の録画を実行でき、また録画中もしくは録画スタンバイ中の任意の時点で、コモンカメラ２ｓ側に静止画記録を実行させることができる。
つまりユーザーは自分で録画を行いつつ、望みのタイミングでコモンカメラ２ｓ側に静止画撮像／記録を実行させることでき、後にコモン画像Ｖｃの提供を受けることで、簡単な操作で動画と静止画を得ることができる。
【００９０】
なお、ここではトリガ信号ＴＧのみを送信する例で説明したが、本例のようなビデオカメラとしてのローカルカメラ１ｖと、スチルカメラとしてのコモンカメラ２ｓのシステムにおいて、上記第２〜第４の実施の形態で説明した各種の動作を行うこともできる。
即ちトリガ信号ＴＧと共にＩＤやメタデータＭＴＤLを送信し、コモンカメラ２ｓ側でコモン画像Ｖｃに対応させて記録したり、コモンカメラ２ｓ側で発生させたメタデータＭＴＤｃをコモン画像Ｖｃに対応させて記録したりすることが可能である。
さらにはローカルカメラ１ｖにおいて、動画としてのローカル画像ＶLに対応させてメタデータＭＴＤLを記録したり、また記録したローカル画像ＶL及びメタデータＭＴＤLをコモンカメラ２ｓ側に送信し、コモンカメラ２ｓ側でコモン画像Ｖｃに対応させて動画のローカル画像ＶLを記録させるようにすることも考えられる。
【００９１】
また、シャッタスイッチ１８が押されることでトリガ信号ＴＧが送信されるものとしたが、ビデオスイッチ２２の操作、もしくは動画録画に関する操作に応じてトリガ信号ＴＧが送信されるようにしても良い。例えば録画スタート操作やストップ操作に応じてトリガ信号ＴＧが送信され、コモンカメラ２ｓ側で静止画像が記録されても良い。
またその場合は、シャッタスイッチ１８を設けない構成も考えられる。
さらに、シャッタスイッチ１８の操作時には、トリガ信号ＴＧの送信を行うだけでなく、記録再生部１５において静止画としての記録を行うようにしてもよい。例えば録画スタンバイ中のステップＦ１４１のシャッタ操作に応じて、その際の被写体の静止画像を記録メディア１９に記録する。もちろん録画中のシャッタ操作に応じて、特にそのシャッタ操作タイミングでの１フレームの画像を抽出して、静止画記録を行っても良い。
【００９２】
２−６．第６の実施の形態
第６の実施の形態を図１７，図１８，図１９で説明する。
この第６の実施の形態は、コモンカメラ２が動画撮像／記録を行うビデオカメラであり、ローカルカメラ１がスチルカメラである場合の例とする。
【００９３】
ローカルカメラ１ｓは、図２に示した構成と同様としている。
コモンカメラ２ｖは、図面上の構成としては図２のコモンカメラ２ｓとほぼ同様となるが、記録再生部３３は撮像信号処理部３２からの動画映像を記録メディア３６に記録していく構成とされる。
また動画記録の開始／終了の操作のためにビデオスイッチ３８が設けられる。例えばコモン制御部３０は、ビデオスイッチ３８が押されることにより記録再生部３３に動画記録を開始させ、再度ビデオスイッチ３８が押されることにより動画記録を終了させる。
なお、これら図示する部位以外に、通常ビデオカメラとして必要な回路、機構、操作部等の構成が設けられることは言うまでもない。また、図示していないがマイクロホンや音声処理系も設けられ、記録再生部３３では、動画映像と共に音声信号記録も行われる。
【００９４】
図１８にローカルカメラ１ｓとコモンカメラ２ｖの処理を示す。ローカルカメラ１ｓの処理は、静止画記録可能な状態にあるときの処理である。また本例ではコモンカメラ２ｖは、常時動画記録を行っているものとし、その録画が開始されてから終了されるまでの処理となる。
【００９５】
ローカル制御部１０は、ステップＦ１５１でユーザーによるシャッタスイッチ１８の操作を検出すると、ステップＦ１５２でトリガ信号ＴＧを送信部１１から送信させる。
そして同時にステップＦ１５３で静止画記録制御を行う。つまり撮像信号処理部１４及び記録再生部１５を制御して、シャッタタイミングでの撮像画像（静止画としてのローカル画像ＶL）の記録を実行させる。
【００９６】
コモン制御部３０は、ステップＦ２５１でビデオスイッチ３８が押されることにより、ステップＦ２５２で動画記録を開始させる。即ち記録再生部３３で及び撮像信号処理部３２に対して動画記録の指示を出し、被写体の動画映像を記録メディア３６に記録させる動作を開始させる。
例えばコモンカメラ２ｖでは、動画記録を常時行うとすると、イベントや運動会等が始まる時点で、サービス業者のスタッフ等によりビデオスイッチ３８が操作され、動画記録が開始されることになる。
【００９７】
継続して動画記録を実行している間、コモン制御部３０は、ステップＦ２５３として受信部３４によりトリガ信号ＴＧが受信されることを監視しており、またステップＦ２５５で録画ストップ操作を監視している。
ステップＦ２５３でトリガ信号ＴＧの受信が検出されたら、コモン制御部３０はステップＦ２５４で静止画記録制御を行う。この場合、動画記録中であるため、動画記録を継続したまま、トリガ信号の受信タイミングの１フレームの画像を、静止画データとして抽出させ、記録再生部３３において、動画とは別の１つの静止画データとして記録メディア３６に記録させる。
ステップＦ２５５で録画ストップ操作が検出されたら、ステップＦ２５６で記録再生部３３における動画記録を停止させる。例えばイベントや運動会が終了した時点で、サービス業者のスタッフ等がビデオスイッチ３８により録画ストップ操作を行うことになる。
【００９８】
この処理により、ユーザーがローカルカメラ１ｓでシャッタ操作を行うことで、コモンカメラ２ｖで静止画記録が行われる。つまりコモンカメラ２ｖにおいては、動画記録を継続しつつ、ローカルカメラ１のユーザーのシャッタ操作に同期した静止画記録が行われることになる。
【００９９】
図１９に、ローカルカメラ１ｓとコモンカメラ２ｖにおける画像記録の様子を示す。
ローカルカメラ１ｓのユーザーが任意の時点でシャッタ操作を行うことで、ローカルカメラ１の記録メディア１９には、静止画としてのローカル画像ＶLが記録される。４回シャッタ操作を行ったとすると、図示するようにローカル画像ＶL１〜ＶL４が記録される。
一方、コモンカメラ２ｖでは、常に動画記録を行うため、その動画としてのコモン画像Ｖｃ０が記録メディア３６に記録されるものとなる。
またローカルカメラ１ｓ側でのシャッタ操作に伴うトリガ信号ＴＧ１〜ＴＧ４によって、録画中の１フレームが抽出され、静止画としてのコモン画像Ｖｃ１〜Ｖｃ４が記録メディア３６に記録されることになる。コモン画像Ｖｃ１〜Ｖｃ４は、それぞれローカル画像ＶL１〜ＶL４と同じタイミングの画像となる。
【０１００】
このように本例の場合は、第１の実施の形態の場合と同様に、ユーザーがシャッタ操作を行って静止画としてのローカル画像ＶLを記録するのと同時に、コモンカメラ２ｖ側で対応する静止画としてのコモン画像Ｖｃが記録される。従って、ユーザーは同じタイミングでの多様な画像を得ることができる。
さらに、この場合コモンカメラ２ｖ側で動画記録が継続して行われているため、ユーザー側に動画映像を提供することも可能となる。例えばイベント全体の動画を提供したり、或いはユーザーのシャッタ操作のタイミングの前後の動画映像を提供することなどが考えられる。
従ってユーザーは自分で静止画撮像／記録を行いつつ、コモンカメラ２ｓ側の静止画や動画を得ることができる。これによって多様かつユーザーにとって満足度の高い画像提供サービスが可能となる。
【０１０１】
なお、ここではトリガ信号ＴＧのみを送信する例で説明したが、このようなスチルカメラとしてのローカルカメラ１ｓと、ビデオカメラとしてのコモンカメラ２ｖのシステムにおいて、上記第２〜第４の実施の形態で説明した各種の動作を行うこともできる。
即ちトリガ信号ＴＧと共にＩＤやメタデータＭＴＤLを送信し、コモンカメラ２ｖ側で静止画としてのコモン画像Ｖｃに対応させて記録したり、コモンカメラ２ｖ側で発生させたメタデータＭＴＤｃを静止画のコモン画像Ｖｃに対応させて記録したりすることが可能である。
さらにはローカルカメラ１ｓにおいて、静止画としてのローカル画像ＶLに対応させてメタデータＭＴＤLを記録したり、また記録したローカル画像ＶL及びメタデータＭＴＤLをコモンカメラ２ｖ側に送信し、コモンカメラ２ｖ側で静止画コモン画像Ｖｃに対応させて同じく静止画のローカル画像ＶLを記録させるようにすることも考えられる。
また、図１９のような静止画コモン画像Ｖｃ１〜Ｖｃ４については、必ずしもトリガ受信タイミングにフレーム抽出／記録を行わなくてもよい。つまり、トリガ受信タイミングを動画コモン画像Ｖｃ０のタイムコードにより記憶しておき、後の時点でフレーム抽出して静止画コモン画像Ｖｃ１〜Ｖｃ４を生成してもよい。
【０１０２】
２−７．第７の実施の形態
第７の実施の形態を図２０，図２１で説明する。この第７の実施の形態は、上記第６の実施の形態と同様に、スチルカメラとしてのローカルカメラ１ｓと、ビデオカメラとしてのコモンカメラ２ｖによる場合であり、構成は図１７と同様とする。
【０１０３】
図２０にローカルカメラ１ｓとコモンカメラ２ｖの処理を示す。ローカルカメラ１ｓの処理は、静止画記録可能な状態にあるときの処理である。またコモンカメラ２ｖは動画記録が可能なスタンバイ状態にあるときの処理となる。
ローカル制御部１０の処理は、上記図１８と同様であり、同じステップ番号（Ｆ１５１，Ｆ１５２，Ｆ１５３）で示している。
一方、コモン制御部３０は、ステップＦ２５１ａで受信部３４によりトリガ信号ＴＧが受信されることを監視している。
ステップＦ２５１ａでトリガ信号ＴＧの受信が検出されたら、コモン制御部３０はステップＦ２５２ａで動画記録制御を行う。つまり、トリガ信号の受信タイミングを録画開始タイミングとして、記録再生部３３で及び撮像信号処理部３２に対して動画記録の指示を出し、被写体の動画映像を記録メディア３６に記録させる動作を開始させる。
動画記録を開始した後は、コモン制御部３０はタイムカウントを行う。そして一定時間が経過したら、ステップＦ２５３ａからＦ２５４ａに進み、記録再生部３３における動画記録を停止させる。
【０１０４】
この処理により、ユーザーがローカルカメラ１ｓでシャッタ操作を行うことで、コモンカメラ２ｖで一定時間の動画記録が行われる。
図２１に、ローカルカメラ１ｓとコモンカメラ２ｖにおける画像記録の様子を示す。
ローカルカメラ１ｓのユーザーが任意の時点でシャッタ操作を行うことで、ローカルカメラ１の記録メディア１９には、静止画としてのローカル画像ＶLが記録される。４回シャッタ操作を行ったとすると、図示するようにローカル画像ＶL１〜ＶL４が記録される。
一方、コモンカメラ２ｖでは、ローカルカメラ１ｓ側でのシャッタ操作に伴うトリガ信号によって、動画記録を行うことになり、従って動画としてのコモン画像Ｖｃ１〜Ｖｃ４が記録メディア３６に記録されることになる。コモン画像Ｖｃ１〜Ｖｃ４の動画開始タイミングは、それぞれローカル画像ＶL１〜ＶL４の記録タイミングとなる。
【０１０５】
このように本例の場合は、ユーザーがシャッタ操作を行って静止画としてのローカル画像ＶLを記録するタイミングからコモンカメラ２ｖ側で動画記録が行われることで、ユーザーは自分で記録した静止画と関連する動画映像を得ることができる。この場合も、サービス業者等は、ユーザーにとって満足度の高い画像提供サービスが可能となる。
【０１０６】
なお、この例の場合も、上記第２〜第４の実施の形態で説明した動作が考えられる。即ちトリガ信号ＴＧと共にＩＤやメタデータＭＴＤLを送信し、コモンカメラ２ｖ側で動画としてのコモン画像Ｖｃに対応させて記録したり、コモンカメラ２ｖ側で発生させたメタデータＭＴＤｃを動画のコモン画像Ｖｃに対応させて記録したりすることが可能である。
さらにはローカルカメラ１ｓにおいて、静止画としてのローカル画像ＶLに対応させてメタデータＭＴＤLを記録したり、また記録したローカル画像ＶL及びメタデータＭＴＤLをコモンカメラ２ｖ側に送信し、コモンカメラ２ｖ側で動画コモン画像Ｖｃに対応させて静止画のローカル画像ＶLを記録させるようにすることも考えられる。
【０１０７】
また、コモンカメラ２ｖ側での録画は一定時間としたが、例えば録画自体は常時行い、トリガ信号を受信したタイミングを記憶しておき、後に受信タイミングに基づいて動画映像が編集され、ユーザーに提供されるようにすることも考えられる。
【０１０８】
２−８．第８の実施の形態
第８の実施の形態を図２２，図２３で説明する。
この第８の実施の形態は、ローカルカメラ１、コモンカメラ２の両方が動画撮像／記録を行うビデオカメラである場合の例とする。
ローカルカメラ１ｖの構成は、図１４と同様であり、コモンカメラ２ｖの構成は図１７と同様である。
【０１０９】
図２２にローカルカメラ１ｖとコモンカメラ２ｖの処理を示す。ローカルカメラ１ｖのステップＦ１６１〜Ｆ１６８の処理は、図１５のステップＦ１４１〜Ｆ１４８と同様である。またコモンカメラ２ｖのステップＦ２６１〜Ｆ２６６の処理は、図１８のステップＦ２５１〜Ｆ２５６と同様である。
このため詳述は避けるが、ローカルカメラ１ｖでは、ユーザーのビデオスイッチ２２の操作に応じた期間に動画記録を実行するとともに、録画中もしくは録画スタンバイ中において、シャッタスイッチ１８が操作されることで、コモンカメラ２ｖ側にトリガ信号を送信する。
またコモンカメラ２ｖでは、常時動画記録を継続しつつ、トリガ信号ＴＧが受信されることに応じて、そのタイミングで静止画を抽出し、記録するものとなる。
【０１１０】
この処理により、ローカルカメラ１ｖではユーザーは任意の期間の動画映像の録画を実行させることができ、またコモンカメラ２ｖにおいては、動画記録を継続しつつ、ローカルカメラ１のユーザーのシャッタ操作に同期した静止画記録が行われることになる。
【０１１１】
図２３に、ローカルカメラ１ｖとコモンカメラ２ｖにおける画像記録の様子を示す。
ローカルカメラ１ｖのユーザーは、ある時点で録画スタート操作を行い、また任意の時点で録画ストップ操作を行うことで、ローカルカメラ１ｖの記録再生部１５における記録メディア１９には、動画映像としてのローカル画像ＶL１が記録される。
またその後、同様にある時点で録画スタート操作を行い、また任意の時点で録画ストップ操作を行うことで、記録メディア１９には、動画映像としてのローカル画像ＶL２が記録される。
一方、コモンカメラ２ｖでは、常に動画記録を行うため、その動画としてのコモン画像Ｖｃ０が記録メディア３６に記録されるものとなる。
またローカルカメラ１ｖ側での録画中もしくは録画スタンバイ中のシャッタ操作に伴うトリガ信号ＴＧ１〜ＴＧ５によって、コモンカメラ２ｖ側での録画中の１フレームが抽出され、静止画としてのコモン画像Ｖｃ１〜Ｖｃ５が記録メディア３６に記録されることになる。
【０１１２】
このように本例の場合は、ユーザーはローカルカメラ１ｖにおいて任意の期間の動画映像の録画を実行でき、また録画中もしくは録画スタンバイ中の任意の時点で、コモンカメラ２ｓ側に静止画記録を実行させることができる。
つまりユーザーは自分で録画を行いつつ、望みのタイミングでコモンカメラ２ｖ側に静止画撮像／記録を実行させることでき、後にコモン画像Ｖｃの提供を受けることで、簡単な操作で動画と静止画を得ることができる。
さらに、この場合コモンカメラ２ｖ側で動画記録が継続して行われているため、ユーザー側に動画のコモン画像を提供することも可能となる。例えばイベント全体の動画を提供したり、或いはユーザーのシャッタ操作のタイミングの前後の動画映像を提供できる。
【０１１３】
なお、この場合も、上記第２〜第４の実施の形態で説明した各種の動作が考えられる。この場合、トリガ信号ＴＧと共にＩＤやメタデータＭＴＤLを送信し、コモンカメラ２ｖ側で静止画としてのコモン画像Ｖｃに対応させて記録したり、コモンカメラ２ｖ側で発生させたメタデータＭＴＤｃを静止画又は動画のコモン画像Ｖｃに対応させて記録する。
さらにはローカルカメラ１ｖにおいて、動画としてのローカル画像ＶLに対応させてメタデータＭＴＤLを記録したり、また記録したローカル画像ＶL及びメタデータＭＴＤLをコモンカメラ２ｖ側に送信し、コモンカメラ２ｖ側で静止画としてのコモン画像Ｖｃに対応させて動画のローカル画像ＶLを記録させるようにすることも考えられる。
【０１１４】
また、シャッタスイッチ１８が押されることでトリガ信号ＴＧが送信されるものとしたが、ビデオスイッチ２２の操作、もしくは動画録画に関する操作に応じてトリガ信号ＴＧが送信されるようにしても良い。例えば録画スタート操作やストップ操作に応じてトリガ信号ＴＧが送信され、コモンカメラ２ｖ側で静止画像が記録されても良い。
またその場合は、シャッタスイッチ１８を設けない構成も考えられる。
さらに、シャッタスイッチ１８の操作時には、トリガ信号ＴＧの送信を行うだけでなく、記録再生部１５において静止画としてのローカル画像ＶLの記録を行うようにしてもよい。
【０１１５】
２−９．第９の実施の形態
第９の実施の形態を図２４，図２５で説明する。この第９の実施の形態は、上記第８の実施の形態と同様に、ローカルカメラ１とコモンカメラ２がいずれもビデオカメラの場合である。
【０１１６】
図２４にローカルカメラ１ｖとコモンカメラ２ｖの処理を示す。ローカルカメラ１ｖとコモンカメラ２ｖの処理は、動画記録可能なスタンバイ状態にあるときからの処理である。
ローカル制御部１０の処理は、上記図２２と同様であり、同じステップ番号（Ｆ１６１〜Ｆ１６８）で示している。
一方、コモン制御部３０の処理としてのステップＦ２６１ａ〜Ｆ２６４ａは、図２０のステップＦ２５１ａ〜Ｆ２５４ａと同様である。つまり受信部３４によりトリガ信号ＴＧが受信されたら、コモン制御部３０は、それを録画開始タイミングとして、記録再生部３３で及び撮像信号処理部３２に対して動画記録開始制御を行い、一定時間、被写体の動画映像を記録メディア３６に記録させる。
【０１１７】
この処理により、ローカルカメラ１ｖではユーザーは任意の期間の動画映像の録画を実行させることができ、またコモンカメラ２ｖにおいては、ローカルカメラ１ｖでのシャッタ操作に応じたトリガ信号受信タイミングから一定時間の動画記録が行われる。
図２５に、ローカルカメラ１ｖとコモンカメラ２ｖにおける画像記録の様子を示す。
ローカルカメラ１ｖの記録メディア１９には、ユーザーの録画スタート操作、録画ストップ操作に応じて、動画映像としてのローカル画像ＶL１、ＶL２が記録される。
一方、コモンカメラ２ｖでは、ローカルカメラ１ｖ側での録画中もしくは録画スタンバイ中のシャッタ操作に伴うトリガ信号ＴＧ１〜ＴＧ５に応じて、動画としてのコモン画像Ｖｃ１〜Ｖｃ５が記録メディア３６に記録されることになる。
【０１１８】
このように本例の場合は、ユーザーはローカルカメラ１ｖで任意に動画映像を記録できるとともに、シャッタ操作により任意の時点からコモンカメラ２ｖで動画記録を実行させることができ、従って多様な動画映像を得ることができる。
【０１１９】
なお、この例の場合も、上記第２〜第４の実施の形態で説明した動作が考えられる。即ちトリガ信号ＴＧと共にＩＤやメタデータＭＴＤLを送信し、コモンカメラ２ｖ側で動画としてのコモン画像Ｖｃに対応させて記録したり、コモンカメラ２ｖ側で発生させたメタデータＭＴＤｃを動画のコモン画像Ｖｃに対応させて記録したりすることが可能である。
さらにはローカルカメラ１ｖにおいて、動画としてのローカル画像ＶLに対応させてメタデータＭＴＤLを記録したり、また記録したローカル画像ＶL及びメタデータＭＴＤLをコモンカメラ２ｖ側に送信し、コモンカメラ２ｖ側で動画コモン画像Ｖｃに対応させて動画のローカル画像ＶLを記録させるようにすることも考えられる。
また、コモンカメラ２ｖ側での録画は一定時間としたが、例えば録画自体は常時行い、トリガ信号を受信したタイミングを記憶しておき、後に受信タイミングに基づいて動画映像が編集され、ユーザーに提供されるようにすることも考えられる。
【０１２０】
２−１０．第１０の実施の形態
第１０の実施の形態を図２６に示す。これは、ローカルカメラ１が銀塩カメラとされる場合である。コモンカメラ２はスチルカメラとしている。
ローカルカメラ１ｆは、ローカル制御部１０，送信部１１、アンテナ１２、シャッタスイッチ１８，撮像光学系２３、メカ系２４を有する。
メカ系２４におけるシャッタ機構はローカル制御部１０によってシャッタスイッチ１８に応じて駆動制御され、フィルム２５に対する被写体画像の撮影が行われる。
【０１２１】
このローカルカメラ１ｆは、通常の銀塩カメラとしての構成に加えてトリガ送信機能を備えたもので、ローカル制御部１０は、シャッタスイッチ１８の操作に応じて、メカ系２４を制御して写真撮影を実行させるとともに、送信部１１によりトリガ信号ＴＧの送信を実行させるものである。
ローカル制御部１０の処理は図３のステップＦ１０１〜Ｆ１０３と同様であり、またコモンカメラ２ｓのコモン制御部３０の処理は、図３のステップＦ２０１，Ｆ２０２と同様となる。
この第１０の実施の形態によれば、ユーザーは銀塩カメラにより任意の写真撮影を行っていくことで、その撮影と同期してコモン画像Ｖｃがコモンカメラ２ｓで記録されるものとなる。ユーザーは後にコモン画像Ｖｃを入手することで、自分で撮った写真と関連する画像データを得ることができる。
【０１２２】
なお、ローカルカメラ１ｆは、第２、第３の実施の形態の動作、つまりＩＤ送信やメタデータＭＴＤLの送信を行うようにしてもよい。もちろんその場合、コモンカメラ２ｓでは、ＩＤやメタデータＭＴＤL、さらにはコモンカメラ２ｓ側で発生させたメタデータＭＴＤｃを、コモン画像Ｖｃに対応させて記録する。
またコモンカメラ２がビデオカメラとされ、ローカルカメラ１ｆからのトリガ信号Ｔに応じて第６，第７の実施の形態で説明した動作を行うシステムも考えられる。
【０１２３】
２−１１．ローカルカメラとコモンカメラのシステムパターン例
ここまで、第１〜第１０の実施の形態として、ローカルカメラ１を本発明請求項でいう第１の撮像装置、コモンカメラ２を第２の撮像装置とする例を説明してきた。
これらの場合におけるシステム構成として、１台のローカルカメラ１と１台のコモンカメラ２による構成以外のパターン例を図２７，図２８，図２９に示しておく。
【０１２４】
図２７は、１台のコモンカメラ２と複数のローカルカメラ１で構成されるシステム例である。コモンカメラ２は、各ローカルカメラ１からのトリガ信号ＴＧに基づいた記録動作を行う。このシステムでは、全体的な画像を１台のコモンカメラ２で撮像・記録し、一方、多数の一般ユーザーが、それぞれローカルカメラ１を所持して任意の撮像・記録する。各ユーザーは、それぞれ自分で記録したローカル画像ＶLに対応するコモン画像Ｖｃの提供を受けるようにすることができる。
【０１２５】
図２８は、複数のコモンカメラ２と１台のローカルカメラ１で構成されるシステム例である。各コモンカメラ２は、ローカルカメラ１からのトリガ信号ＴＧに基づいた記録動作を行う。
この場合、コモンカメラ２によるコモン画像Ｖｃとして多様な画像を得ることができる。ローカルカメラ１のユーザーは、任意に撮像を行うだけで、その撮像・記録タイミングに基づいた多様なコモン画像Ｖｃを入手できる。
【０１２６】
図２９は複数のコモンカメラ２と複数のローカルカメラ１で構成されるシステム例である。
常にすべてのコモンカメラ２が、すべてのローカルカメラ１からのトリガ信号ＴＧに応じた画像記録を行うようにしてもよいし、例えば広いイベント会場やテーマパーク等である程度離れた場所に、それぞれコモンカメラ２が設置され、ローカルカメラ１を所持するユーザーが近くにきて画像記録を行った場合（トリガ信号ＴＧの送受信範囲となった場合）に、そのコモンカメラ２が画像記録を行うようなことも考えられる。
【０１２７】
これらシステム例においては、ローカルカメラ１はスチルカメラ、ビデオカメラ、銀塩カメラのいずれでもよく、複数の場合にこれらが混在してもよい。またコモンカメラ２も、スチルカメラ、ビデオカメラのいずれでもよく、また混在してもよい。
そしてローカルカメラ１、コモンカメラ２では、その機器構成に応じて、上述した実施の形態の動作を行えばよい。
【０１２８】
３．コモンカメラからトリガ送信を行う実施の形態
３−１．第１１の実施の形態
続いて、第１１〜第２１の実施の形態として、ローカルカメラ１を本発明請求項でいう第２の撮像装置、コモンカメラ２を第１の撮像装置とする例を説明していく。
すなわち、コモンカメラ２からローカルカメラ１に対してトリガ信号ＴＧを送信するシステムである。
【０１２９】
第１１の実施の形態は、ローカルカメラ１とコモンカメラ２のいずれもがスチルカメラである例とし、これを図３０，図３１，図３２で説明する。
図３０は第１１の実施の形態のローカルカメラ１ｓとコモンカメラ２ｓの構成を示している。
ローカルカメラ１ｓには、上記してきた実施の形態の場合と同様、ローカル制御部１０、アンテナ１２、撮像部１３、撮像信号処理部１４、記録再生部１５、表示処理部１６、表示部１７、シャッタスイッチ１８が設けられる。
そして、この第１１の実施の形態の場合、コモンカメラ２ｓから送信されてくるトリガ信号ＴＧを受信する受信部２６が設けられる。
【０１３０】
コモンカメラ２ｓは、上述してきた実施の形態と同様にコモン制御部３０、撮像部３１、撮像信号処理部３２、記録再生部３３、アンテナ３５を備える。またこの場合は、トリガ信号ＴＧを送信するための送信部３９を備える。
そしてこの場合、シャッタスイッチ４０やシャッタプログラム４１の一方又は両方が設けられて、コモンカメラ２ｓ側でシャッタタイミングが得られるようにされる。
シャッタスイッチ４０は、コモンカメラ２ｓを用いる例えばサービス業者のスタッフ等がシャッタ操作を行うための設けられる。
シャッタプログラム４１は、コモン制御部３０が自動的にシャッタ制御を行うためのプログラムである。これは、例えばイベント等の内容に応じてシャッタタイミングの時刻を設定するプログラムであったり、定期的なタイミングを指示するものであったり、あるいはテーマパークのアトラクション等の自動制御システムからの指示でシャッタタイミングを検知するプログラムなどとすることが考えられる。
【０１３１】
図３１にローカル制御部１０の処理とコモン制御部３０の処理を示す。この図３１の処理は、ローカルカメラ１ｓ、コモンカメラ２ｓのいずれも、電源投入され、かつ撮像モードとして被写体の画像撮像（モニタ表示）を行っている状態（つまりシャッタタイミングを待つ状態）である場合の処理である。
【０１３２】
コモン制御部３０は、ステップＦ４０１でシャッタタイミングを待機する。シャッタタイミングとは、スタッフがシャッタスイッチ４０を操作したタイミングか、又はシャッタプログラム４１によって指示されるタイミングである。
コモン制御部３０は、シャッタタイミングを検知すると、ステップＦ４０２でトリガ信号ＴＧを送信部３９から送信させる。
そして同時にステップＦ４０３で静止画記録制御を行う。つまり撮像信号処理部３２及び記録再生部３３を制御して、シャッタタイミングでの撮像画像（コモン画像Ｖｃ）の記録を実行させる。
一方、ローカル制御部１０は、ステップＦ３０１として受信部２６によりトリガ信号ＴＧが受信されることを監視しており、またステップＦ３０２でユーザーのシャッタスイッチ１８の操作を監視している。
そしてトリガ信号ＴＧを受信した場合とシャッタ操作を検出した場合に、それぞれステップＦ３０３に進み、静止画記録制御を行う。つまり撮像信号処理部１４及び記録再生部１５を制御して撮像画像（ローカル画像ＶL）の記録を実行させる
【０１３３】
この処理により、コモンカメラ２ｓ側では、設定又は操作によるシャッタタイミングでのコモン画像Ｖｃの記録が行われ、一方、ユーザーが所持するローカルカメラ１ｓでは、ユーザーのシャッタ操作に応じたタイミングのローカル画像ＶLと、コモンカメラ２ｓでのコモン画像Ｖｃと同期したローカル画像ＶLが、記録されることになる。
【０１３４】
図３２にローカルカメラ１ｓ側の記録再生部１５内の記録メディア１９と、コモンカメラ２ｓ側の記録再生部３３での記録メディア３６の記録状態を示している。例えばローカルカメラ１ｓのユーザーのシャッタ操作に応じてローカル画像ＶL１，ＶL４が記録メディア１９に記録されたとする。
また、コモンカメラ２ｓ側では、或るシャッタタイミングで記録メディア３６に、コモン画像Ｖｃ１，Ｖｃ２が記録されたとすると、その際のトリガ信号ＴＧに応じてローカルカメラ１ｓ側でもローカル画像ＶLの記録が行われる。例えばコモン画像Ｖｃ１，Ｖｃ２と同じタイミングでのローカル画像ＶL２，ＶL３が記録される。
【０１３５】
すなわちこのシステムの場合、コモンカメラ２ｓ側がイベント等の進行やタイムスケジュールを把握又は管理でき、最適なシャッタチャンス等をあらかじめ知ることができるような状況で好適である。つまりコモンカメラ２ｓでは被写体に対して最適なタイミングでコモン画像Ｖｃの記録を行うとともに、トリガ信号ＴＧを送信することでローカルカメラ１ｓでもそのタイミングでローカル画像ＶLの記録を実行させるため、ローカルカメラ１ｓでもチャンスを逃さないでローカル画像ＶLの記録が可能となる。
もちろんローカルカメラ１ｓでは任意の時点のシャッタ操作によりローカル画像ＶLの記録が行われるため、ユーザが望む撮像・記録が実現される。
【０１３６】
ところで、この第１１の実施の形態から以下説明していく第２０の実施の形態までの各例の場合においては、ローカルカメラ１ではコモンカメラ２からのトリガ信号ＴＧに基づいた画像記録を行う。この場合において、トリガ信号ＴＧが受信された時点でローカルカメラ１が適切に被写体をとらえていなければ、好ましいローカル画像ＶLは得られない。
そこで、ローカルカメラ１をユーザーが所持して任意に撮像を行う装置とする場合は、予めユーザー（ローカルカメラ１）に対して撮像のスタンバイをするように通知することが適切となる。
このようなスタンバイ通知を行う動作については後に図５５で説明する。
一方、ローカルカメラ１を一般ユーザーが所持するカメラ装置ではなく、例えばローカルカメラ１が固定的に或る場所に設置されたり、業務スタッフが所持するなどで、被写体側を常時とらえているものとする場合は、スタンバイ通知は不要である。
【０１３７】
３−２．第１２の実施の形態
同じくローカルカメラ１とコモンカメラ２のいずれもがスチルカメラである例において、第１２の実施の形態を図３３，図３４，図３５で説明する。
上記第１１の実施の形態では、コモンカメラ２が複数あるシステムの場合においては、ローカルカメラ１側でトリガ信号ＴＧに応じて記録されたローカル画像ＶLと同期したコモン画像Ｖｃが、どのコモンカメラ２において記録されたががわからないことになる。
そこで第１２の実施の形態は、コモンカメラ２の識別情報（ＩＤ）を、トリガ信号ＴＧと共に送信し、ローカルカメラ１側では、ローカル画像ＶLに対応させてコモンカメラの識別情報１の識別情報（ＩＤ）を記録するようにするものである。
【０１３８】
図３３に構成を示す。コモンカメラ２ｓには、ＩＤ記憶部４２が設けられ、そのコモンカメラ２ｓに固有のＩＤ（識別コード情報）が記憶される。このＩＤは、コモンカメラ２ｓとしての機器に、製造時等に固定的に与えられるシリアルナンバ等でも良いし、使用する複数のコモンカメラ２に対してそれぞれ任意にコードナンバを設定し、ＩＤ記憶部４２に書き込むようなものでも良い。ＩＤ記憶部４２としての、ＲＯＭ、ＲＡＭ、フラッシュメモリ等の種別はこれらＩＤの形態に応じたものであればよいし、もちろんコモン制御部３０としてのマイクロコンピュータの内部メモリであってもよい。
コモン制御部３０は、トリガ信号ＴＧを送信部３９から送信する際には、ＩＤ記憶部４２に記憶されたＩＤも併せて送信する。
【０１３９】
ローカルカメラ１ｓ側においては、受信部２６は、トリガ信号ＴＧと共にＩＤを受信し、ローカル制御部１０に受け渡す。ローカル制御部１０は、記録再生部１５に対して、ＩＤを記録データとして供給し、コモン画像Ｖｃと対応させて記録メディア１９に記録するように制御する。
【０１４０】
図３４にローカル制御部１０とコモン制御部３０の処理を示す。ローカルカメラ１ｓ、コモンカメラ２ｓのいずれも、電源投入され、かつ撮像モードとして被写体の画像撮像（モニタ表示）を行っている状態の処理である。
【０１４１】
コモン制御部３０は、ステップＦ４１１でシャッタタイミングを待機する。スタッフのシャッタスイッチ４０の操作、又はシャッタプログラム４１によって指示によるシャッタタイミングを検知すると、コモン制御部３０は、ステップＦ４１２でトリガ信号ＴＧと、ＩＤ記憶部４２に記憶されたＩＤを送信部３９から送信させる。
そしてステップＦ４１３でコモン画像Ｖｃの静止画記録制御を行う。
【０１４２】
一方、ローカル制御部１０は、ステップＦ３１１として受信部２６によりトリガ信号ＴＧが受信されることを監視しており、またステップＦ３１２でユーザーのシャッタスイッチ１８の操作を監視している。
そしてステップＦ３１２でシャッタ操作を検出した場合は、ステップＦ３１３に進み、静止画記録制御を行う。つまり撮像信号処理部１４及び記録再生部１５を制御して撮像画像（ローカル画像ＶL）の記録を実行させる
またステップＦ３１１でトリガ信号ＴＧの受信を検知したら、ステップＦ３１４でトリガ信号ＴＧと共に受信されたＩＤを記録データとして取り込む。そしてステップＦ３１５で、ローカル画像ＶLとしての静止画と、それに対応するＩＤの記録制御を行う。つまり撮像信号処理部１４及び記録再生部１５を制御して、トリガ受信タイミングでの撮像画像（ローカル画像ＶL）の記録を実行させるとともに、ＩＤをそのローカル画像ＶLに対する付加データとして記録メディア１９に記録させる。
【０１４３】
この処理により、ローカルカメラ１ｓ側では、各コモンカメラ２ｓのＩＤと共にローカル画像ＶLが記録されていく。
図３５に、ローカルカメラ１ｓと２つのコモンカメラ２ｓにおける画像記録の様子を示す。２つのコモンカメラ２ｓは、それぞれＩＤが、ＩＤ１，ＩＤ２とされているとする。
ＩＤ１のコモンカメラ２ｓでは、２回のシャッタタイミングが発生し、記録メディア３６にコモン画像Ｖｃ１，Ｖｃ２が記録されたとする。
またＩＤ２のコモンカメラ２ｓでは１回のシャッタタイミングが発生し、記録メディア３６にコモン画像Ｖｃ１が記録されたとする。
ローカルカメラ１ｓ側では、各コモンカメラ２ｓからのトリガ信号ＴＧ、及びユーザーのシャッタ操作に応じてローカル画像ＶLの記録を行う。このため、例えば２台のコモンカメラ２ｓから合計３回送信されてきたトリガ信号ＴＧに応じて、３つのローカル画像ＶL１，ＶL３，ＶL４が記録される。そしてこれらのローカル画像ＶL１，ＶL２，ＶL３には、コモンカメラ２ｓのＩＤが対応付けられて記録メディア１９に記録されることになる。ユーザーのシャッタ操作によっては、２つのローカル画像ＶL２，ＶL５が記録されたとすると、当然ながら、これらに対応してはＩＤは記録されない。
【０１４４】
このようにローカル画像ＶLにコモンカメラ２ｓのＩＤが対応されて記録されることで、記録メディア１９におけるローカル画像ＶLは、それぞれがどのコモンカメラ２ｓのコモン画像Ｖｃに対応するものかがわかる。またＩＤが付加されていないローカル画像ＶLは、ユーザ自身のシャッタ操作によるものと判別できる。
【０１４５】
ところでコモンカメラ２ｓからＩＤを送信することは、上記のような画像の対応の識別だけでなく、サービス実務に利用できる。
例えばサービス業者は、予めサービスを提供するユーザーに対して特定のコモンカメラ２ｓのＩＤを通知し、ローカルカメラ１に入力することを求めるようにする。そしてローカルカメラ１側では、トリガ信号ＴＧとともに送信されてきたＩＤが、入力されているＩＤと一致したら（対応がとれたら）、そのトリガ信号ＴＧを有効なトリガとして扱うようにする。これにより、ユーザー毎に使用できるコモンカメラ２ｓを設定することが可能となる。なお、コモンカメラ２ｓのＩＤや、ＩＤを照合する処理を実行させるプログラムなどは、記録メディア１９に記録してユーザに提供し、その記録メディア１９からローカルカメラ１側にインストールさせることなどが考えられる。
【０１４６】
３−３．第１３の実施の形態
同じくローカルカメラ１とコモンカメラ２のいずれもがスチルカメラである例において、第１３の実施の形態を図３６，図３７，図３８で説明する。
第１３の実施の形態は、コモンカメラ２ｓ側では、コモン画像Ｖｃに対応させて各種メタデータを記録する。またローカルカメラ１ｓ側ではローカル画像ＶLに対応させて各種メタデータを記録する。
メタデータとしては、ローカルカメラ１ｓ側で発生させるメタデータＭＴＤLと、コモンカメラ２ｓ側で発生させるメタデータＭＴＤｃがある。本例では、コモンカメラ２ｓ側の記録メディア３６には、このメタデータＭＴＤｃがコモン画像Ｖｃに対応されて記録され、ローカルカメラ１ｓ側の記録メディア１９には、両方のメタデータＭＴＤL、ＭＴＤｃがローカル画像ＶLに対応されて記録されるものとする。
【０１４７】
図３６に構成を示す。図３３に示した構成に加え、図３６の場合、コモンカメラ２ｓには、メタデータ発生部３７が設けられる。
コモン制御部３０は、トリガ信号ＴＧを送信部３９から送信する際には、ＩＤ記憶部４２に記憶されたＩＤと、メタデータ発生部３７で発生されるメタデータＭＴＤｃも併せて送信させる。
またコモン制御部３０は、メタデータ発生部３７で発生されたメタデータＭＴＤｃを、記録再生部３３に対して記録データとして供給し、コモン画像Ｖｃと対応させて記録メディア３６に記録するように制御する。
【０１４８】
ローカルカメラ１ｓ側においては、受信部２６は、トリガ信号ＴＧと共にＩＤ及びメタデータＭＴＤｃを受信し、ローカル制御部１０に受け渡す。
またローカルカメラ１ｓにはメタデータ発生部２１が設けられる。
ローカル制御部１０は、受信されたＩＤ、メタデータＭＴＤｃと、メタデータ発生部２１で発生されたメタデータＭＴＤLを、記録再生部１５に対して記録データとして供給し、ローカル画像ＶLと対応させて記録メディア１９に記録するように制御する。
【０１４９】
図３７にローカル制御部１０とコモン制御部３０の処理を示す。これも、ローカルカメラ１ｓ、コモンカメラ２ｓのいずれもが電源投入され、かつ撮像モードとして被写体の画像撮像（モニタ表示）を行ってシャッタタイミングを待っている状態の処理である。
【０１５０】
コモン制御部３０は、ステップＦ４２１でシャッタタイミングを待機する。スタッフのシャッタスイッチ４０の操作、又はシャッタプログラム４１によって指示によるシャッタタイミングを検知すると、コモン制御部３０はステップＦ４２２で、ＩＤ記憶部２０に記憶されたＩＤと、メタデータ発生部３７で発生されたメタデータＭＴＤｃを、トリガ信号ＴＧと共に送信部３９に供給し、送信部３９から送信させる。
またステップＦ４２３で、コモン画像Ｖｃの静止画記録制御を行うとともに、メタデータＭＴＤｃを記録再生部３３に供給し、コモン画像Ｖｃに対応させてメタデータＭＴＤｃを記録メディア３６に記録させる。
【０１５１】
一方、ローカル制御部１０は、ステップＦ３２１として受信部２６によりトリガ信号ＴＧが受信されることを監視しており、またステップＦ３２２でユーザーのシャッタスイッチ１８の操作を監視している。
そしてステップＦ３２２でシャッタ操作を検出した場合は、ステップＦ３２３に進み、静止画記録制御を行う。この場合、撮像信号処理部１４及び記録再生部１５を制御して撮像画像（ローカル画像ＶL）の記録を実行させる。また、メタデータ発生部２１で発生させたメタデータＭＴＤLを記録再生部１５に供給し、ローカル画像ＶLに対応させて記録させる。
ステップＦ３２１でトリガ信号ＴＧの受信を検知した場合は、ローカル制御部１０はステップＦ３２４でトリガ信号ＴＧと共に受信されたＩＤ及びメタデータＭＴＤｃを記録データとして取り込む。そしてステップＦ３２５で、ローカル画像ＶLとしての静止画と、それに対応するＩＤ、メタデータＭＴＤｃ、ＭＴＤLの記録制御を行う。つまり撮像信号処理部１４及び記録再生部１５を制御して、トリガ受信タイミングでの撮像画像（ローカル画像ＶL）の記録を実行させるとともに、受信したＩＤ、メタデータＭＴＤｃ、さらにメタデータ発生部２１で発生させたメタデータＭＴＤLを、そのローカル画像ＶLに対する付加データとして記録メディア１９に記録させる。
【０１５２】
この処理により、ローカルカメラ１ｓ、コモンカメラ２ｓの両方で、メタデータＭＴＤL、ＭＴＤｃがローカル画像ＶL、コモン画像Ｖｃと共に記録されていく。
図３８に、ローカルカメラ１ｓとコモンカメラ２ｓにおける画像記録の様子を示す。
コモンカメラ２ｓ側では、３回のシャッタタイミングが発生し、記録メディア３６にコモン画像Ｖｃ１，Ｖｃ２，Ｖｃ３が記録されたとする。これらコモン画像Ｖｃ１，Ｖｃ２，Ｖｃ３には、メタデータ発生部３７で発生されたメタデータＭＴＤｃが対応して記録される。
ローカルカメラ１ｓ側では、コモンカメラ２ｓからのトリガ信号ＴＧ、及びユーザーのシャッタ操作に応じてローカル画像ＶLの記録を行う。このため、例えばコモンカメラ２ｓから３回送信されてきたトリガ信号ＴＧに応じて、３つのコモン画像ＶL１，ＶL３，ＶL４が記録されたとすると、このコモン画像ＶL１，ＶL３，ＶL４に対応しては、コモンカメラ２ｓから送信されてきたＩＤ及びメタデータＭＴＤｃと、メタデータ発生部２１で発生されたメタデータＭＴＤLが、記録メディア１９に記録される。
またユーザーのシャッタ操作によって２つのローカル画像ＶL２，ＶL５が記録されたとすると、これらに対応してはメタデータ発生部２１で発生されたメタデータＭＴＤLが記録される。
【０１５３】
ローカル画像ＶLにコモンカメラ２ｓのＩＤが対応されて記録されることによっては、上記第１２の実施の形態で説明した効果が得られる。
さらにローカル画像ＶLにメタデータＭＴＤL、ＭＴＤｃが対応されて記録されることで、より多様な情報をローカル画像ＶLに対応づけて与えることができたり、各ローカル画像ＶLについてコモン画像Ｖｃとの対応を明確にすることなどが可能となる。
ローカルカメラ１ｓのメタデータ発生部２１で発生させるメタデータＭＴＤLとしては、例えば時刻情報、位置情報、記録メディア１９におけるローカル画像ＶLの記録位置のアドレス情報、今回撮像しているローカル画像のナンバリング情報（例えば何枚目の写真かを示す値）、ユーザの個人情報などが考えられる。
また、コモンカメラ２ｓのメタデータ発生部３７で発生させるメタデータＭＴＤLとしては、例えば時刻情報、位置情報、記録メディア３６におけるコモン画像Ｖｃの記録位置のアドレス情報、今回撮像しているコモン画像のナンバリング情報（例えば何枚目の写真かを示す値）、コモン画像Ｖｃやローカル画像ＶLに与えるタイトルやコメントなどの情報などが考えられる。
これらのメタデータＭＴＤL、ＭＴＤｃを付加することによって上記第３の実施の形態で述べたように多様な効果を得ることができる。
【０１５４】
特にコモンカメラ２ｓ側が撮像しているイベントの内容や運動会の進行状況などが把握できる場合、例えば予めタイムスケジュールが管理されている場合などは、その時刻に合わせて適切なキーワードを設定することができる。例えばイベントの内容や競技名などである。このようなキーワードをメタデータＭＴＤｃに含めるようにし、ローカルカメラ１側でローカル画像ＶLに対応して記録させることで、ローカルカメラ１ｓ側のユーザーの利便性を向上させることができる。
【０１５５】
なお、ローカルカメラ１ｓ側にメタデータ発生部２１を設けず、ローカル画像ＶLに対応しては、コモンカメラ２ｓ側のメタデータ発生部３７で発生させたメタデータＭＴＤｃのみが記録されても良い。
逆に、コモンカメラ２ｓ側にメタデータ発生部３７を設けず、ローカル画像ＶLに対応してローカルカメラ１ｓ側のメタデータ発生部２１で発生させたメタデータＭＴＤLのみが記録されても良い。
さらに、コモンカメラ２ｓ側の記録再生部３３において、コモン画像Ｖｃに対応したメタデータＭＴＤｃの記録を行わないようにしてもよい。
【０１５６】
３−４．第１４の実施の形態
同じくローカルカメラ１とコモンカメラ２のいずれもがスチルカメラである例において、第１４の実施の形態を図３９，図４０，図４１で説明する。
この第１４の実施の形態は、上記第１３の実施の形態のようにローカルカメラ１ｓ側では、ローカル画像ＶLに対応させてＩＤや各種メタデータを記録するが、それに加えて、コモン画像Ｖｃも対応させて記録するものである。
【０１５７】
図３９に構成を示す。この場合、上記図３６に示した構成とほぼ同様であるが、コモンカメラ２ｓでは、記録再生部３３で再生したコモン画像Ｖｃ及びメタデータＭＴＤｃを送信部３９に供給できる構成とされる。
コモン制御部３０は、シャッタタイミングにおいて、トリガ信号ＴＧを送信部３９から送信する際には、ＩＤ記憶部４２に記憶されたＩＤと、メタデータ発生部３７で発生されるメタデータＭＴＤｃも併せて送信させる。またそのとき、記録再生部３３でコモン画像Ｖｃと共に、メタデータＭＴＤｃを記録させる。
さらにその後、コモン制御部３０は、ＩＤ記憶部４２に記憶されたＩＤと、記録再生部３３で再生したコモン画像Ｖｃ及びメタデータＭＴＤｃを送信部３９に供給させて、送信させる。
【０１５８】
ローカルカメラ１ｓ側においては、受信部２６は、トリガ信号ＴＧと共にＩＤ及びメタデータＭＴＤｃを受信し、ローカル制御部１０に受け渡す。
また受信部２６は、コモン画像Ｖｃと共にＩＤ及びメタデータＭＴＤｃを受信した場合は、これらのデータをローカル制御部１０に受け渡す。
【０１５９】
図４０にローカル制御部１０とコモン制御部３０の処理を示す。上記図３７等と同じく、ローカルカメラ１ｓ、コモンカメラ２ｓのいずれも、電源投入され、かつ撮像モードとして被写体の画像撮像を行って、シャッタタイミングを待つ状態で行われる処理である。
【０１６０】
コモン制御部３０は、ステップＦ４３１でシャッタタイミングとなったことを検出すると、ステップＦ４３２でＩＤ記憶部４２に記憶されたＩＤと、メタデータ発生部３７で発生されたメタデータＭＴＤｃを、トリガ信号ＴＧと共に送信部３９に供給し、送信部３９から送信させる。
そしてステップＦ４３３でコモン画像Ｖｃの静止画記録制御を行う。このときコモン制御部３０は、上記ステップＦ４３２の際に発生させ送信させたメタデータＭＴＤｃを記録再生部３３にも供給し、コモン画像Ｖｃに対応づけて記録させる。
その後ステップＦ４３４では、コモン制御部３０は、記録メディア３６に記録したコモン画像ＶｃとメタデータＭＴＤｃを再生させ、送信部３９に供給させる。またこのときＩＤ記憶部４２のＩＤも送信部３９に供給する。そして送信部３９からコモン画像Ｖｃ、メタデータＭＴＤｃ、ＩＤを送信させる。
【０１６１】
一方、ローカル制御部１０は、ステップＦ３３１，Ｆ３３２，Ｆ３３６の監視ループで監視処理を行う。即ちステップＦ３３１で受信部３４でトリガ信号ＴＧが受信されることを監視し、またステップＦ３３２でシャッタスイッチ１８が操作されることを監視する。さらにステップＦ３３６において受信部３４でコモン画像Ｖｃのデータが受信されることを監視している。
【０１６２】
ある時点で、ステップＦ３３１においてトリガ信号ＴＧの受信を確認したら、ローカル制御部１０の処理はステップＦ３３４に進み、トリガ信号ＴＧと共に受信されたＩＤ及びメタデータＭＴＤｃを記録データとして取り込む。
そしてステップＦ３３５で、ローカル画像ＶLとしての静止画と、それに対応するＩＤ、メタデータＭＴＤL、ＭＴＤｃの記録制御を行う。つまり撮像信号処理部１４及び記録再生部１５を制御して、トリガ受信タイミングでの撮像画像（ローカル画像ＶL）の記録を実行させるとともに、受信したＩＤ、メタデータＭＴＤｃと、メタデータ発生部２１で発生させたメタデータＭＴＤLを、そのコモン画像Ｖｃに対する付加データとして記録メディア１９に記録させる。
そしてステップＦ３３１，Ｆ３３２，Ｆ３３６の監視ループに戻る。
【０１６３】
ステップＦ３３２でシャッタ操作を検出した場合は、ステップＦ３３３に進み、静止画記録制御を行う。この場合、撮像信号処理部１４及び記録再生部１５を制御して撮像画像（ローカル画像ＶL）の記録を実行させる。また、メタデータ発生部２１で発生させたメタデータＭＴＤLを記録再生部１５に供給し、ローカル画像ＶLに対応させて記録させる。そしてステップＦ３３１，Ｆ３３２，Ｆ３３６の監視ループに戻る。
【０１６４】
ある時点で、ステップＦ３３６においてコモン画像Ｖｃの受信を確認したら、ローカル制御部１０の処理はステップＦ３３７に進み、コモン画像Ｖｃとしての静止画データ、及びそのコモン画像Ｖｃと共に受信されたＩＤ及びメタデータＭＴＤｃを取り込む。
次にステップＦ３３８でＩＤ及びメタデータＭＴＤｃの照合を行い、受信したコモン画像Ｖｃを、どのローカル画像ＶLに対応させるか判別する。
上記ステップＦ３３５では、ローカル画像ＶLにＩＤ及びメタデータＭＴＤｃが付加されて記録されている。そしてステップＦ３３７で取り込んだＩＤ及びメタデータＭＴＤｃは、ローカル画像ＶLと同じタイミングにおいてコモンカメラ２ｓ側で記録メディア３６に記録され、それが再生されて送信されてきた情報である。従って、ステップＦ３３７で取り込んだＩＤ及びメタデータＭＴＤｃと同じ内容のＩＤ及びメタデータＭＴＤｃが付加されたローカル画像ＶLが、記録メディア１９に記録されているはずである。つまり受信したＩＤ及びメタデータＭＴＤｃと、記録メディア１９において各ローカル画像ＶLに対応づけられたＩＤ及びメタデータＭＴＤｃを照合していき、一致するものを検索することで、今回送信されてきたコモン画像Ｖｃが、どのローカル画像ＶLに対応するものかが判別できる。
なお、このような一致照合のためには、メタデータＭＴＤｃに時刻情報が含まれることが好適である。また位置情報も併せて照合しても良い。
【０１６５】
上記照合処理により、受信したコモン画像Ｖｃと記録済のローカル画像ＶLの対応関係の判別が完了したら、ステップＦ３３９で、コモン画像Ｖｃを記録再生部１５に供給し、対応するローカル画像ＶLに関連づけて記録メディア１９に記録させる。
【０１６６】
この処理により、ローカルカメラ１ｓ側では、ＩＤやメタデータＭＴＤL、ＭＴＤｃと共にローカル画像ＶLが記録され、またコモン画像Ｖｃが送信されてきた時点で、そのコモン画像Ｖｃがローカル画像ＶLに対応づけられて記録される。
【０１６７】
図４１に、ローカルカメラ１ｓとコモンカメラ２ｓにおける画像記録の様子を示す。
コモンカメラ２ｓ側では、３回のシャッタタイミングが発生し、記録メディア３６にコモン画像Ｖｃ１，Ｖｃ２，Ｖｃ３が記録されたとする。これらコモン画像Ｖｃ１，Ｖｃ２，Ｖｃ３には、メタデータ発生部３７で発生されたメタデータＭＴＤｃが対応して記録される。
ローカルカメラ１ｓ側では、コモンカメラ２ｓからのトリガ信号ＴＧ、及びユーザーのシャッタ操作に応じてローカル画像ＶLの記録を行う。このため、例えばコモンカメラ２ｓから３回送信されてきたトリガ信号ＴＧに応じて、３つのコモン画像ＶL１，ＶL３，ＶL４が記録されたとすると、このコモン画像ＶL１，ＶL３，ＶL４に対応しては、コモンカメラ２ｓから送信されてきたＩＤ及びメタデータＭＴＤｃと、メタデータ発生部２１で発生されたメタデータＭＴＤLが、記録メディア１９に記録される。
またユーザーのシャッタ操作によって２つのローカル画像ＶL２，ＶL５が記録されたとすると、これらに対応してはメタデータ発生部２１で発生されたメタデータＭＴＤLが記録される。
【０１６８】
また、コモンカメラ２ｓからコモン画像Ｖｃが送信され、上記ステップＦ３３７〜Ｆ３３９の処理が行われることに応じて、コモン画像Ｖｃが特定のローカル画像ＶLに対応づけられて記録メディア１９に記録される。
即ち、ローカル画像ＶL１に対応してコモン画像Ｖｃ１が、ローカル画像ＶL３に対応してコモン画像Ｖｃ２が、ローカル画像ＶL４に対応してコモン画像Ｖｃ３が、それぞれ記録される。
【０１６９】
このような本例によれば、ローカルカメラ１ｓとコモンカメラ２ｓで同時に記録されたローカル画像ＶLとコモン画像Ｖｃが、ローカルカメラ１側の記録メディア１９に対応されて格納される状態となる。
従ってローカルカメラ１ｓを用いるユーザーは、ローカル画像ＶLとコモン画像Ｖｃを即座に入手できるものとなる。
なお、コモン画像Ｖｃを個々のローカル画像ＶLに対応付けなくてよいのであれば、ステップＦ３３８の照合処理は不要である。その場合、コモン画像Ｖｃに対応して、同時に送信されてきたＩＤやメタデータＭＴＤｃを記録することが好適である。
【０１７０】
３−５．第１５の実施の形態
第１５の実施の形態を図４２，図４３，図４４で説明する。
この第１５の実施の形態は、コモンカメラ２が動画撮像／記録を行うビデオカメラであり、ローカルカメラ１がスチルカメラである場合の例とする。
【０１７１】
コモンカメラ２ｖは、図面上の構成としては図３０のコモンカメラ２ｓとほぼ同様となるが、記録再生部３３は撮像信号処理部３２からの動画映像を記録メディア３６に記録していく構成とされる。
また動画記録の開始／終了の操作をスタッフが行うためにビデオスイッチ４３が設けられる。例えばコモン制御部３０は、ビデオスイッチ４３が押されることにより記録再生部３３に動画記録を開始させ、再度ビデオスイッチ４３が押されることにより動画記録を終了させる。
なお、これら図示する部位以外に、通常ビデオカメラとして必要な回路、機構、操作部等の構成が設けられることは言うまでもない。また、図示していないがマイクロホンや音声処理系も設けられ、記録再生部３３では、動画映像と共に音声信号記録も行われる。
ローカルカメラ１ｓ側の構成は図３０と同様としている。
【０１７２】
図４３にローカルカメラ１ｓとコモンカメラ２ｖの処理を示す。ローカルカメラ１ｓの処理は、静止画記録可能な状態にあるときの処理である。また本例ではコモンカメラ２ｖは、常時動画記録を行っているものとし、その録画が開始されてから終了されるまでの処理となる。
【０１７３】
コモン制御部３０は、ステップＦ４４１でビデオスイッチ４３が押されることにより、ステップＦ４４２で動画記録を開始させる。即ち記録再生部３３で及び撮像信号処理部３２に対して動画記録の指示を出し、被写体の動画映像を記録メディア３６に記録させる動作を開始させる。
例えばコモンカメラ２ｖでは、動画録画を常時行うとすると、イベントや運動会等が始まる時点で、サービス業者のスタッフ等によりビデオスイッチ４３が操作され、動画記録が開始されることになる。
【０１７４】
継続して動画記録を実行している間、コモン制御部３０は、ステップＦ４４３で録画ストップ操作を監視しており、またステップＦ４４５でシャッタタイミングを待機している。
シャッタスイッチ４０又はシャッタプログラム４１によるシャッタタイミングとなったことがステップＦ４４５で検出されたら、コモン制御部３０はステップＦ４４６で、トリガ信号ＴＧを送信部３９から送信させる。
ステップＦ４４３で録画ストップ操作が検出されたら、ステップＦ４４４で記録再生部３３における動画記録を停止させる。例えばイベントや運動会が終了した時点で、サービス業者のスタッフ等がビデオスイッチ４３により録画ストップ操作を行うことになる。
【０１７５】
ローカル制御部１０は、ステップＦ３４１として受信部２６によりトリガ信号ＴＧが受信されることを監視しており、またステップＦ３４２でユーザーのシャッタスイッチ１８の操作を監視している。
そしてトリガ信号ＴＧを受信した場合とシャッタ操作を検出した場合に、それぞれステップＦ３４３に進み、静止画記録制御を行う。つまり撮像信号処理部１４及び記録再生部１５を制御して撮像画像（ローカル画像ＶL）の記録を実行させる
【０１７６】
この処理により、コモンカメラ２ｖ側で動画記録が行われながら、ローカルカメラ１側ではユーザーのシャッタ操作とコモンカメラ２ｖからのトリガ信号ＴＧに応じて静止画記録が行われることになる。
図４４に、ローカルカメラ１ｓとコモンカメラ２ｖにおける画像記録の様子を示す。
コモンカメラ２ｖでは、常に動画記録を行うため、その動画としてのコモン画像Ｖｃが記録メディア３６に記録されるものとなる。
ローカルカメラ１ｓ側では、コモンカメラ２ｖからのトリガ信号ＴＧ、及びユーザーのシャッタ操作に応じてローカル画像ＶLの記録を行う。このため、例えばコモンカメラ２ｖから３回送信されてきたトリガ信号ＴＧ１，ＴＧ２，ＴＧ３に応じて、３つのコモン画像ＶL１，ＶL３，ＶL４が記録メディア１９に記録される。またユーザーのシャッタ操作によってローカル画像ＶL２が記録されるような状態となる。
【０１７７】
本例によればローカルカメラ１によってユーザーは任意の時点でシャッタ操作を行ってローカル画像ＶLの記録ができると共に、トリガ信号ＴＧによって適切なシャッタチャンスでのローカル画像ＶLの記録が実現できる。
またコモンカメラ２ｖ側で常時動画記録を行っていることにより、その動画全体又は一部の提供を受けることも可能となる。
【０１７８】
なお、ここではトリガ信号ＴＧのみを送信する例で説明したが、本例のようなローカルカメラ１ｓとコモンカメラ２ｖのシステムにおいて、上記第１２〜第１４の実施の形態で説明した各種の動作を行うこともできる。
即ちコモンカメラ２ｖからトリガ信号ＴＧと共にＩＤやメタデータＭＴＤｃを送信し、ローカルカメラ１ｓ側でローカル画像ＶLに対応させて記録したり、ローカルカメラ１ｓ側で発生させたメタデータＭＴＤLをローカル画像ＶLに対応させて記録したりすることが可能である。
さらにはコモンカメラ２ｖにおいて、動画としてのコモン画像Ｖｃに対応させてメタデータＭＴＤｃを記録したり、また記録したコモン画像Ｖｃ（動画の全部又は一部）及びメタデータＭＴＤｃをローカルカメラ１ｓ側に送信し、ローカルカメラ１ｓ側でローカル画像ＶLに対応させて動画のコモン画像Ｖｃを記録させるようにすることも考えられる。
【０１７９】
また、シャッタスイッチ４０又はシャッタプログラム４１によるシャッタタイミングでトリガ信号ＴＧが送信されるものとしたが、ビデオスイッチ４３の操作タイミングをシャッタタイミングとして、トリガ信号ＴＧが送信されようにしても良い。例えば録画スタート操作やストップ操作に応じてトリガ信号ＴＧが送信され、ローカルカメラ１ｓ側で静止画像が記録されても良い。
さらに、シャッタタイミングの際には、トリガ信号ＴＧの送信を行うだけでなく、記録再生部３３において静止画としてのコモン画像Ｖｃの記録を行うようにしてもよい。
【０１８０】
３−６．第１６の実施の形態
第１６の実施の形態を図４５，図４６，図４７で説明する。
この第１６の実施の形態は、ローカルカメラ１が動画撮像／記録を行うビデオカメラであり、コモンカメラ２側がスチルカメラである場合の例とする。
【０１８１】
ローカルカメラ１ｖは、図面上の構成としては図３０のローカルカメラ１ｓとほぼ同様となるが、記録再生部１５は撮像信号処理部１４からの動画映像を記録メディア１９に記録していく構成とされる。
また動画記録の開始／終了の操作をユーザーが行うためにビデオスイッチ２２が設けられる。例えばローカル制御部１０は、ビデオスイッチ２２が押されることにより記録再生部１５に動画記録を開始させ、再度ビデオスイッチ２２が押されることにより動画記録を終了させる。
なお、これら図示する部位以外に、通常ビデオカメラとして必要な回路、機構、操作部等の構成が設けられることは言うまでもない。また、図示していないがマイクロホンや音声処理系も設けられ、記録再生部１５では、動画映像と共に音声信号記録も行われる。
コモンカメラ２ｓ側の構成は図３０と同様としている。
【０１８２】
図４６にローカルカメラ１ｖとコモンカメラ２ｓの処理を示す。ローカルカメラ１ｖの処理は、ユーザーがローカルカメラ１ｖの電源をオンとし、動画記録（録画）のスタンバイ状態に或る時点での処理であり、コモンカメラ２ｓの処理は静止画記録可能な状態にあるときの処理である。
【０１８３】
コモン制御部３０は、ステップＦ４５１でシャッタタイミングを待機する。コモン制御部３０は、スタッフがシャッタスイッチ４０を操作したタイミングか、又はシャッタプログラム４１によって指示されるタイミングとしてシャッタタイミングを検知すると、ステップＦ４５２でトリガ信号ＴＧを送信部３９から送信させる。
そしてステップＦ４５３で静止画記録制御を行う。つまり撮像信号処理部３２及び記録再生部３３を制御して、シャッタタイミングでの撮像画像（コモン画像Ｖｃ）の記録を実行させる。
【０１８４】
ローカルカメラ１ｖでは、録画を開始する前のスタンバイ状態において、撮像部１３で撮像した被写体の映像を表示部１７においてモニタ表示している。
ローカル制御部１０は、スタンバイ状態においてステップＦ３５１でビデオスイッチ２２の録画スタート操作を監視し、またステップＦ３５２でトリガ信号ＴＧの受信を監視している。
ユーザーが録画開始の操作を行っていないスタンバイ状態においてトリガ信号ＴＧの受信を検知したら、ローカル制御部１０はステップＦ３５３で静止画としてのローカル画像ＶLの記録メディア１９への記録を実行させる。
【０１８５】
またスタンバイ状態においてユーザーがビデオスイッチ２２の操作を行った場合、ローカル制御部１０はステップＦ３５４として、動画記録を開始させる。即ち記録再生部１５で及び撮像信号処理部１４に対して動画記録の指示を出し、被写体の動画映像を記録メディア１９に記録させる動作を開始させる。
【０１８６】
ステップＦ３５４で動画記録を開始させた後は、ローカル制御部１０はステップＦ３５５でトリガ信号ＴＧの受信を監視し、またステップＦ３５７でビデオスイッチ２２による録画ストップ操作を監視している。
そしてステップＦ３５５でトリガ信号ＴＧの受信を検知した場合、ローカル制御部１０はステップＦ３５６で静止画記録制御を行う。この場合、記録再生部１５は動画記録中であるため、動画記録を継続したまま、トリガ信号ＴＧの受信タイミングの１フレームの画像を、静止画データとして抽出させ、動画とは別の１つの静止画データとして記録メディア１９に記録させる。
ユーザーがビデオスイッチ２２の操作を行った場合、ローカル制御部１０はステップＦ３５８として、動画記録を停止させる。即ち記録再生部１５で及び撮像信号処理部１４に対して動画記録停止の指示を出し、被写体の動画映像を記録メディア１９に記録させる動作を終了させる。そしてステップＦ３５１，Ｆ３５２の監視ループに戻る。
【０１８７】
この処理により、ユーザーがローカルカメラ１ｖで任意の期間の動画映像の録画を実行させることができると共に、コモンカメラ２ｓ側で設定されたシャッタチャンスおいてコモン画像Ｖｃと同期した静止画を記録することができる。
図４７に、ローカルカメラ１ｖとコモンカメラ２ｓにおける画像記録の様子を示す。
ローカルカメラ１ｖのユーザーは、ある時点で録画スタート操作を行い、また任意の時点で録画ストップ操作を行うことで、ローカルカメラ１ｖの記録再生部１５における記録メディア１９には、動画映像としてのローカル画像ＶL２が記録される。
コモンカメラ２ｓ側では、３回のシャッタタイミングが発生し、記録メディア３６にコモン画像Ｖｃ１，Ｖｃ２，Ｖｃ３が記録されたとする。
これらコモン画像Ｖｃ１，Ｖｃ２，Ｖｃ３の記録の際に送信されたトリガ信号ＴＧにより、ローカルカメラ１側でも静止画記録が行われる。つまりコモン画像Ｖｃ１，Ｖｃ２，Ｖｃ３とそれぞれ同期したタイミングで静止画としてのローカル画像ＶL１、ＶL３、ＶL４が記録される。
【０１８８】
このように本例の場合は、ユーザーはローカルカメラ１ｖにおいて任意の期間の動画映像の録画を実行でき、またそのローカルカメラ１ｖにおいては、録画中もしくは録画スタンバイ中の任意の時点で、コモンカメラ２ｓからの指示（トリガ信号ＴＧ）によって自動的に静止画記録が実行される。
つまりユーザーは自分で録画を行いつつ、適切なシャッタチャンスで記録された静止画としてのローカル画像ＶLを得ることができ、また、そのローカル画像ＶLと対応するコモン画像Ｖｃの提供を受けることができる。
【０１８９】
なお、このローカルカメラ１ｖとコモンカメラ２ｓのシステムにおいても、上記第１２〜第１４の実施の形態で説明した各種の動作を行うこともできる。
即ちコモンカメラ２ｓからトリガ信号ＴＧと共にＩＤやメタデータＭＴＤｃを送信し、ローカルカメラ１ｖ側で静止画としてのローカル画像ＶLに対応させて記録したり、ローカルカメラ１ｖ側で発生させたメタデータＭＴＤLを静止画又は動画としてのローカル画像ＶLに対応させて記録することが可能である。
さらにはコモンカメラ２ｓにおいて、コモン画像Ｖｃに対応させてメタデータＭＴＤｃを記録したり、また記録した静止画コモン画像Ｖｃ及びメタデータＭＴＤｃをローカルカメラ１ｖ側に送信し、ローカルカメラ１ｖ側でローカル画像ＶLに対応させてコモン画像Ｖｃを記録させることも考えられる。
【０１９０】
３−７．第１７の実施の形態
第１７の実施の形態を図４８，図４９で説明する。この第１７の実施の形態は、上記第１６の実施の形態と同様に、スチルカメラとしてのコモンカメラ２ｓと、ビデオカメラとしてのローカルカメラ１ｖによる場合であり、構成は図４５と同様とする。
【０１９１】
図４８にローカルカメラ１ｖとコモンカメラ２ｓの処理を示す。コモンカメラ２ｓの処理は、静止画記録可能な状態にあるときの処理である。またローカルカメラ１ｖの処理は動画記録が可能なスタンバイ状態にあるときの処理となる。
コモン制御部３０の処理は、上記図４６と同様であり、同じステップ番号（Ｆ４５１，Ｆ４５２，Ｆ４５３）で示している。
【０１９２】
ローカルカメラ１ｖでは、録画を開始する前のスタンバイ状態において、撮像部１３で撮像した被写体の映像を表示部１７においてモニタ表示している。
ローカル制御部１０は、スタンバイ状態においてステップＦ３５１ａでビデオスイッチ２２の録画スタート操作を監視し、またステップＦ３５２ａでトリガ信号ＴＧの受信を監視している。
このスタンバイ状態においてトリガ信号ＴＧの受信を検知したら、ローカル制御部１０はステップＦ３５３ａで動画としてのローカル画像ＶLの記録メディア１９への記録を実行させる。つまり、トリガ信号ＴＧの受信タイミングを録画開始タイミングとして、記録再生部１５で及び撮像信号処理部１４に対して動画記録の指示を出し、被写体の動画映像を記録メディア１９に記録させる動作を開始させる。
動画記録を開始した後は、ローカル制御部１０はタイムカウントを行う。そして一定時間が経過するか、もしくはユーザーがビデオスイッチ２２によりストップ操作を行ったことが検出された時点で、ステップＦ３５４ａからＦ３５５ａに進み、記録再生部１５における動画記録を停止させる。
【０１９３】
またスタンバイ状態においてユーザーがビデオスイッチ２２の操作を行った場合、ローカル制御部１０はステップＦ３５６ａとして、記録再生部１５で及び撮像信号処理部１４に対して動画記録の指示を出し、被写体の動画映像を記録メディア１９に記録させる動作を開始させる。
ステップＦ３５６ａで動画記録を開始させた後は、ローカル制御部１０はステップＦ３５７ａでビデオスイッチ２２による録画ストップ操作を監視している。
そしてユーザーがビデオスイッチ２２の操作を行った場合、ローカル制御部１０はステップＦ３５８ａとして、動画記録を停止させる。即ち記録再生部１５で及び撮像信号処理部１４に対して動画記録停止の指示を出し、被写体の動画映像を記録メディア１９に記録させる動作を終了させる。そしてステップＦ３５１ａ，Ｆ３５２ａの監視ループに戻る。
なお、ステップＦ３５６ａ〜Ｆ３５８ａまでの期間は、トリガ信号ＴＧの受信は無効とされる。
【０１９４】
この処理により、ローカルカメラ１ｓではトリガ信号ＴＧの受信に応じた動画記録が行われる。
図４９に、ローカルカメラ１ｖとコモンカメラ２ｓにおける画像記録の様子を示す。
ローカルカメラ１ｖのユーザーは、ある時点で録画スタート操作を行い、また任意の時点で録画ストップ操作を行うことで、ローカルカメラ１ｖの記録再生部１５における記録メディア１９には、動画映像としてのローカル画像ＶL２が記録される。
コモンカメラ２ｓ側では、３回のシャッタタイミングが発生し、記録メディア３６にコモン画像Ｖｃ１，Ｖｃ２，Ｖｃ３が記録されたとする。
コモンカメラ２ｓからは、これらコモン画像Ｖｃ１，Ｖｃ２，Ｖｃ３が記録された際にトリガ信号ＴＧが送信され、これにより、ローカルカメラ１側でも動画記録が行われる。例えばコモン画像Ｖｃ１が記録された際のトリガ信号ＴＧ１により、例えば一定時間の動画映像としてローカル画像ＶL１が記録される。また例えばコモン画像Ｖｃ３が記録された際のトリガ信号ＴＧ３により、例えば一定時間の動画映像としてローカル画像ＶL３が記録される。
なお、この場合、コモン画像Ｖｃ２が記録された際のトリガ信号ＴＧ２の送信タイミングが、ローカルカメラ１側でローカル画像ＶL２の録画中であったとすると、ローカルカメラ１側でそのトリガ信号ＴＧ２に応じた処理は行われない。
【０１９５】
このように本例の場合は、ユーザーはローカルカメラ１ｖにおいて任意の期間の動画映像の録画を実行でき、またそのローカルカメラ１ｖにおいては、録画スタンバイ中の任意の時点で、コモンカメラ２ｓからの指示（トリガ信号ＴＧ）によって自動的に動画記録が実行される。
つまりユーザーは自分で録画を行いつつ、適切な期間での動画ローカル画像ＶLを得ることができ、また、そのローカル画像ＶLと対応する静止画コモン画像Ｖｃの提供を受けることができる。
また、ローカルカメラ１ｖではトリガ信号ＴＧによって自動的に動画記録が行われるが、その録画は一定時間もしきはユーザーの録画ストップ操作で終了されることで、ユーザーのカメラ使用を邪魔しないものとできる。
【０１９６】
なお、この場合も上記第１２〜第１４の実施の形態で説明した各種の動作を適用できる。
即ちコモンカメラ２ｓからトリガ信号ＴＧと共にＩＤやメタデータＭＴＤｃを送信し、ローカルカメラ１ｖ側で動画としてのローカル画像ＶLに対応させて記録したり、ローカルカメラ１ｖ側で発生させたメタデータＭＴＤLを動画としてのローカル画像ＶLに対応させて記録することが可能である。
さらにはコモンカメラ２ｓにおいて、コモン画像Ｖｃに対応させてメタデータＭＴＤｃを記録したり、また記録した静止画コモン画像Ｖｃ及びメタデータＭＴＤｃをローカルカメラ１ｖ側に送信し、ローカルカメラ１ｖ側で動画ローカル画像ＶLに対応させて静止画コモン画像Ｖｃを記録させることも考えられる。
【０１９７】
３−８．第１８の実施の形態
第１８の実施の形態を図５０，図５１で説明する。
この第１８の実施の形態は、ローカルカメラ１、コモンカメラ２の両方が動画撮像／記録を行うビデオカメラである場合の例とする。
ローカルカメラ１ｖの構成は、図４５と同様であり、コモンカメラ２ｖの構成は図４２と同様である。
【０１９８】
図５０にローカルカメラ１ｖとコモンカメラ２ｖの処理を示す。ローカルカメラ１ｖのステップＦ３６１〜Ｆ３６８の処理は、図４６のステップＦ３５１〜Ｆ３５８と同様である。またコモンカメラ２ｖのステップＦ４６１〜Ｆ４６６の処理は、図４３のステップＦ４４１〜Ｆ４４６と同様である。
このため詳述は避けるが、ローカルカメラ１ｖでは、ユーザーのビデオスイッチ２２の操作に応じた期間に動画記録を実行するとともに、録画中もしくは録画スタンバイ中において、トリガ信号ＴＧの受信が検知されることで、静止画記録を行うものとなる。
またコモンカメラ２ｖでは、常時動画記録を継続しつつ、シャッタタイミングとなることに応じてトリガ信号ＴＧを送信する。
【０１９９】
この処理により、ローカルカメラ１ｖではユーザーは任意の期間の動画映像の録画を実行させることができ、またコモンカメラ２ｖからのトリガ信号によって、適切なシャッタチャンスの静止画記録が行われる。またコモンカメラ２ｖにおいては、動画記録が継続的に行われる。
【０２００】
図１８に、ローカルカメラ１ｖとコモンカメラ２ｖにおける画像記録の様子を示す。
ローカルカメラ１ｖのユーザーは、ある時点で録画スタート操作を行い、また任意の時点で録画ストップ操作を行うことで、ローカルカメラ１ｖの記録再生部１５における記録メディア１９には、動画映像としてのローカル画像ＶL２が記録される。
コモンカメラ２ｖ側では、継続して動画としてのコモン画像Ｖｃを記録している。この間、３回のシャッタタイミングが発生し、トリガ信号ＴＧ１，ＴＧ２，ＴＧ３が送信されたとすると、それに応じてローカルカメラ１側で静止画記録が行われ、ローカル画像ＶL１、ＶL３、ＶL４が記録される。
【０２０１】
このように本例の場合は、ユーザーはローカルカメラ１ｖにおいて任意の期間の動画映像の録画を実行でき、また録画中もしくは録画スタンバイ中の任意の時点においてコモンカメラ２ｖ側から指示されたシャッタチャンスでの静止画を得ることができる。さらに、この場合コモンカメラ２ｖ側で動画記録が継続して行われているため、ユーザー側に動画のコモン画像を提供することも可能となる。例えばイベント全体の動画を提供したり、或いはシャッタタイミングの前後の動画映像等を提供できる。
【０２０２】
なお、この場合も上記第１２〜第１４の実施の形態で説明した各種動作が可能である。
即ちコモンカメラ２ｖからトリガ信号ＴＧと共にＩＤやメタデータＭＴＤｃを送信し、ローカルカメラ１ｖ側で静止画ローカル画像ＶLに対応させて記録したり、ローカルカメラ１ｖ側で発生させたメタデータＭＴＤLを静止画又は動画のローカル画像ＶLに対応させて記録することが可能である。
さらにはコモンカメラ２ｖにおいて、継続して記録されるコモン画像Ｖｃに対応させてメタデータＭＴＤｃを記録したり、また記録したコモン画像Ｖｃ（動画の全部又は一部）及びメタデータＭＴＤｃをローカルカメラ１ｖ側に送信し、ローカルカメラ１ｖ側で静止画ローカル画像ＶLに対応させて動画コモン画像Ｖｃを記録させることも考えられる。
【０２０３】
また、コモンカメラ２ｖでは、シャッタスイッチ４０又はシャッタプログラム４１によるシャッタタイミングでトリガ信号ＴＧが送信されるものとしたが、ビデオスイッチ４３の操作タイミングをシャッタタイミングとして、トリガ信号ＴＧが送信されようにしても良い。
さらに、シャッタタイミングの際には、トリガ信号ＴＧの送信を行うだけでなく、記録再生部３３において静止画としてのコモン画像Ｖｃの記録を行うようにしてもよい。
【０２０４】
３−９．第１９の実施の形態
第１９の実施の形態を図５２，図５３で説明する。この第１９の実施の形態は、上記第１８の実施の形態と同様に、ローカルカメラ１とコモンカメラ２がいずれもビデオカメラの場合である。
【０２０５】
図５２にローカルカメラ１ｖとコモンカメラ２ｖの処理を示す。ローカルカメラ１ｖとコモンカメラ２ｖの処理は、動画記録可能なスタンバイ状態にあるときからの処理である。
コモン制御部３０の処理は、上記図５０と同様であり、同じステップ番号（Ｆ４６１〜Ｆ４６６）で示している。
ローカル制御部１０の処理としてのステップＦ３６１ａ〜Ｆ３６８ａは、図４８のステップＦ３５１ａ〜Ｆ３５８ａと同様である。つまり受信部２６によりトリガ信号ＴＧが受信された場合、録画スタンバイ中であれば、ローカル制御部１０は、トリガ信号ＴＧを録画開始タイミングとして、記録再生部１５及び撮像信号処理部１４に対して動画記録開始制御を行い、一定時間経過或いはユーザーの録画ストップ操作があるまで、被写体の動画映像を記録メディア１９に記録させる。
【０２０６】
この処理により、ローカルカメラ１ｖではユーザーは任意の期間の動画映像の録画を実行させることができ、またコモンカメラ２ｖ側からの指示に応じた動画記録が行われる。
図５３に、ローカルカメラ１ｖとコモンカメラ２ｖにおける画像記録の様子を示す。
ローカルカメラ１ｖの記録メディア１９には、ユーザーの録画スタート操作、録画ストップ操作に応じて、動画映像としてのローカル画像ＶL２が記録される。
コモンカメラ２ｖ側では、継続して動画としてのコモン画像Ｖｃを記録している。この間、３回のシャッタタイミングが発生し、トリガ信号ＴＧ１，ＴＧ２，ＴＧ３が送信されたとすると、それに応じてローカルカメラ１側で動画記録が行われる。但し、トリガ信号ＴＧ２の受信時が、ローカル画像ＶL２の記録中であったとすると、このトリガ信号ＴＧ２は無効とされ、このためトリガ信号ＴＧ１，ＴＧ３に応じて、一定時間（もしくはユーザーがストップさせるまでの期間）の動画ローカル画像ＶL１，ＶL３が記録される。
【０２０７】
このように本例の場合は、ユーザーはローカルカメラ１ｖで任意に動画映像を記録できるとともに、録画スタンバイ中であればコモンカメラ２ｖ側から指示された時点から自動記録される動画映像を得ることができる。さらに、この場合コモンカメラ２ｖ側で動画記録が継続して行われているため、ユーザー側に動画のコモン画像を提供することも可能となる。
【０２０８】
なお、この例の場合も、上記第１２〜第１４の実施の形態で説明した動作が考えられる。
即ちコモンカメラ２ｖからトリガ信号ＴＧと共にＩＤやメタデータＭＴＤｃを送信し、ローカルカメラ１ｖ側で動画ローカル画像ＶLに対応させて記録したり、ローカルカメラ１ｖ側で発生させたメタデータＭＴＤLを動画ローカル画像ＶLに対応させて記録することが可能である。
さらにはコモンカメラ２ｖにおいて、継続して記録されるコモン画像Ｖｃに対応させてメタデータＭＴＤｃを記録したり、また記録したコモン画像Ｖｃ（動画の全部又は一部）及びメタデータＭＴＤｃをローカルカメラ１ｖ側に送信し、ローカルカメラ１ｖ側で動画ローカル画像ＶLに対応させて動画コモン画像Ｖｃを記録させることも考えられる。
また、コモンカメラ２ｖにおいて、ビデオスイッチ４３の操作タイミングをシャッタタイミングとして、トリガ信号ＴＧが送信されようにしても良い。
さらに、シャッタタイミングの際には、トリガ信号ＴＧの送信を行うだけでなく、記録再生部３３において静止画としてのコモン画像Ｖｃの記録を行うようにしてもよい。
【０２０９】
３−１０．第２０の実施の形態
第２０の実施の形態を図５４に示す。これは、ローカルカメラ１が銀塩カメラとされる場合である。コモンカメラ２はスチルカメラとしている。
ローカルカメラ１ｆは、ローカル制御部１０，受信部２６、アンテナ１２、シャッタスイッチ１８，撮像光学系２３、メカ系２４を有する。
メカ系２４におけるシャッタ機構はローカル制御部１０によってシャッタスイッチ１８に応じて駆動制御され、フィルム２５に対する被写体画像の撮影が行われる。
【０２１０】
このローカルカメラ１ｆは、通常の銀塩カメラとしての構成に加えてトリガ受信機能を備えたもので、ローカル制御部１０は、シャッタスイッチ１８の操作に応じて、メカ系２４を制御して写真撮影を実行させるとともに、受信部２６によりトリガ信号ＴＧの受信が検知されることによっても、メカ系２４を制御して写真撮影を実行させる。
ローカル制御部１０の処理は図３１のステップＦ３０１〜Ｆ３０３と同様であり、またコモンカメラ２ｓのコモン制御部３０の処理は、図３１のステップＦ４０１〜Ｆ４０３と同様となる。
この第２０の実施の形態によれば、ユーザーは銀塩カメラにより任意の写真撮影を行っていくことができるとともに、コモンカメラ２ｓ側から指示されたシャッタチャンスで撮影写真を得ることができる。またその撮影と同期してコモン画像Ｖｃがコモンカメラ２ｓで記録されるため、ユーザーは後にコモン画像Ｖｃを入手することで、自分で撮った写真と関連する画像データを得ることができる。
【０２１１】
なお、ローカルカメラ１ｆは、第１２、第１３の実施の形態の動作、つまりＩＤやメタデータＭＴＤｃの受信を行うようにしてもよい。そしてその場合、フィルム２５の縁部などにメタデータＭＴＤｃやＩＤ、さらにはローカルカメラ２ｆ側で発生させたメタデータＭＴＤLの内容を記録し、写真とメタデータ等を対応させても良い。
またコモンカメラ２がビデオカメラとされたシステムも考えられる。
【０２１２】
３−１１．第１１〜２０の実施の形態に適用できるスタンバイ指示
第１１の実施の形態の説明で述べたが、第１１〜第２０の実施の形態の場合において、ローカルカメラ１をユーザーが任意に所持する場合を考えると、トリガ信号ＴＧが受信された際に、そのローカルカメラ１が被写体に向けられてない場合が考えられる。当然その場合、適切な画像は記録されない。
そこで、これらの第１１〜第２０の実施の形態に付加的に適用できる処理を図５５で説明する。
【０２１３】
図５５のコモンカメラ２の処理は、トリガ信号ＴＧの送信のための処理として、上記各実施の形態で説明したコモン制御部３０の処理に組み合わせることのできる処理である。
コモン制御部３０はステップＦ２０で、スタンバイタイミングを待機する。スタンバイタイミングとは、シャッタタイミングより必要時間前、例えば数秒から数１０秒前、或いは１分以上前としてもよい。
シャッタタイミングがシャッタプログラム４１により決定される場合、シャッタプログラム４１がスタンバイタイミングも決定すればよい。或いはシャッタタイミングをスタッフのシャッタスイッチ４０の操作時点とする場合、別にスタンバイスイッチを用意し、スタッフはシャッタスイッチ４０を押す前にスタンバイスイッチを操作するようにする。その場合、スタンバイスイッチの操作時点がスタンバイタイミングとなる。
【０２１４】
スタンバイタイミングとなったら、コモン制御部３０の処理はステップＦ２０からＦ２１に進み、送信部３９からスタンバイ指示信号を送信させる。
その後、コモン制御部３０はステップＦ２２でシャッタタイミングを待機し、シャッタタイミングとなったら、ステップＦ２３でトリガ信号ＴＧを送信部３９から送信させる。
【０２１５】
このような処理に対応して、ローカルカメラ１のローカル制御部１０はステップＦ１０〜Ｆ１２の処理を行うようにする。
即ちステップＦ１０でスタンバイ指示信号の受信を監視し、スタンバイ指示信号が受信されたら、ステップＦ１１でスタンバイ処理を行う。
この場合、スタンバイ処理とは、ローカルカメラ１の機器内部の処理があり、またユーザーが所持するカメラ機器の場合は、ユーザーに対する告知処理をも含む。
まずローカル制御部１０はローカルカメラ１の電源状態がオフで有れば、電源オン制御を行う。そしてスタンバイモードとする。つまりトリガ信号ＴＧの受信に対応してローカル画像ＶLの記録ができる状態にまで、機器各部の状態を設定する。
また、各実施の形態の構成には示していなかったが、ローカルカメラ１内に音声出力部を設ける。そしてローカル制御部１０は、例えば電子音或いはメッセージ音声などを、音声出力部から出力させ、ユーザーに、トリガ信号ＴＧの受信が近いことを伝える。つまりもうすぐ自動記録が行われることを伝える。もちろん、電子音とメッセージ表示などでユーザに伝える構成としても良いし、バイブレータとメッセージ表示を併用するなどの手法でも良い。
【０２１６】
このスタンバイ処理により、ローカルカメラ１が内部的に撮像／記録可能状態となると共に、ユーザーが被写体に向けてローカルカメラ１を構える状態を促す。
そしてその後、トリガ信号ＴＧが送信されてくるが、その受信に応じてステップＦ１２からＦ１３に進み、ローカル画像ＶLの記録を実行する。
【０２１７】
このようなスタンバイ指示信号の送信及びスタンバイ指示信号に応じたスタンバイ処理が行われることで、コモンカメラ２からのトリガ信号ＴＧに応じたタイミングで、ローカルカメラ１におけるローカル画像ＶLの記録を適切に行うことができる。
なお、スタンバイ処理については多様であり、例えば固定的に設置されて常に被写体側を向いているローカルカメラ１の場合は、上記のユーザー告知処理は不要である。またユーザー告知処理においては、例えば表示又は音声で、トリガ信号ＴＧの受信までのカウントダウンを行うようにしてもよい。
【０２１８】
３−１２．ローカルカメラとコモンカメラのシステムパターン例
ここまで、第１１〜第２０の実施の形態として、コモンカメラ２を本発明請求項でいう第１の撮像装置、ローカルカメラ１を第２の撮像装置とする例を説明してきた。
これらの場合におけるシステム構成のパターン例は、上述した図２７，図２８，図２９の場合と同様に多様に考えられる。
【０２１９】
即ち、１台のコモンカメラ２と１台のローカルカメラ１のシステムの他、１台のコモンカメラ２と複数のローカルカメラ１で構成されるシステムが考えられ、その場合、１つのコモンカメラ２によるトリガ信号ＴＧに応じて複数のローカルカメラ１でローカル画像ＶLが記録され、同期的な多数の画像撮像が行われるシステムとなる。
また複数のコモンカメラ２と１台のローカルカメラで構成されるシステムや、或いは複数のコモンカメラ２と複数のローカルカメラ１で構成されるシステム例も考えられる。それぞれ、実施するサービスやイベント、施設その他の状況に応じてシステム設定がなされればよい。
【０２２０】
４．変形例
以上、実施の形態の撮像システムを説明してきたが、本発明としてはさらに各種多様な変形例が考えられる。
例えば、上記ローカルカメラ１、コモンカメラ２が、どちらも本発明請求項で言う第２の撮像装置となり、トリガ信号ＴＧの送信を行う他の機器が用意されるシステムも考えられる。
また、上記ローカルカメラ１、コモンカメラ２が、どちらもが本発明請求項で言う第１，第２の撮像装置となることもあり得る。つまり相互にトリガ信号ＴＧを送信／受信するものである。例えばローカルカメラ１は、ユーザーのシャッタ操作に応じてローカル画像ＶLの記録及びトリガ信号ＴＧの送信を行い、コモンカメラ２はトリガ信号ＴＧの受信に応じてコモン画像Ｖｃの記録を行う。一方、コモンカメラ２ではシャッタタイミングとなったらコモン画像Ｖｃの記録を行うと共にトリガ信号ＴＧの送信を行い、ローカルカメラ１においてはトリガ信号ＴＧの受信に応じてローカル画像ＶLの記録を行う。このように、両方が第１及び第２の撮像装置として相互に機能しあう例も考えられる。
【０２２１】
また、音声記録については述べなかったが、例えばローカル画像ＶL、コモン画像Ｖｃとしての動画や静止画の記録に伴って音声を記録することは当然に考えられる。
さらに、上記各実施の形態では、第２の撮像装置側は、基本的にはトリガ信号に応じて撮像画像の記録を行うものとしたが、必ずしも第２の撮像装置内で記録を行わなくともよい。例えば第２の撮像装置では、トリガ信号に応じて撮像を行って、その撮像画像を無線もしくは有線で送信出力し、別の記録機器において撮像画像を記録媒体に記録するような例も考えられる。又その場合、上記図５５で述べたスタンバイ指示に対応するローカルカメラ１側の処理としては、ステップＦ１１で撮像のスタンバイを行い、またステップＦ１３では撮像及び撮像画像を外部の記録機器に送信する処理が行われればよい。
さらには、第２の撮像装置において、トリガ信号に応じて撮像を行い、それを記録せずに表示出力することも考えられる。
【０２２２】
また本発明の撮像システムは、上記動作からわかるように、運動会や発表会などの行事、コンサート、イベント、テーマパーク、海、山、その他の観光地など、多様な場所、機会において有用に適用できる。
【図面の簡単な説明】
【０２２３】
【図１】本発明の実施の形態の撮像システムの説明図である。
【図２】第１の実施の形態のコモンカメラ、ローカルカメラのブロック図である。
【図３】第１の実施の形態の処理のフローチャートである。
【図４】第１の実施の形態で記録される画像の説明図である。
【図５】第２の実施の形態のコモンカメラ、ローカルカメラのブロック図である。
【図６】第２の実施の形態の処理のフローチャートである。
【図７】第２の実施の形態で記録される画像の説明図である。
【図８】第３の実施の形態のコモンカメラ、ローカルカメラのブロック図である。
【図９】第３の実施の形態の処理のフローチャートである。
【図１０】第３の実施の形態で記録される画像の説明図である。
【図１１】第４実施の形態のコモンカメラ、ローカルカメラのブロック図である。
【図１２】第４の実施の形態の処理のフローチャートである。
【図１３】第４の実施の形態で記録される画像の説明図である。
【図１４】第５実施の形態のコモンカメラ、ローカルカメラのブロック図である。
【図１５】第５の実施の形態の処理のフローチャートである。
【図１６】第５の実施の形態で記録される画像の説明図である。
【図１７】第６実施の形態のコモンカメラ、ローカルカメラのブロック図である。
【図１８】第６の実施の形態の処理のフローチャートである。
【図１９】第６の実施の形態で記録される画像の説明図である。
【図２０】第７の実施の形態の処理のフローチャートである。
【図２１】第７の実施の形態で記録される画像の説明図である。
【図２２】第８の実施の形態の処理のフローチャートである。
【図２３】第８の実施の形態で記録される画像の説明図である。
【図２４】第９の実施の形態の処理のフローチャートである。
【図２５】第９の実施の形態で記録される画像の説明図である。
【図２６】第１０実施の形態のコモンカメラ、ローカルカメラのブロック図である。
【図２７】実施の形態のコモンカメラ、ローカルカメラのシステム例の説明図である。
【図２８】実施の形態のコモンカメラ、ローカルカメラのシステム例の説明図である。
【図２９】実施の形態のコモンカメラ、ローカルカメラのシステム例の説明図である。
【図３０】第１１実施の形態のコモンカメラ、ローカルカメラのブロック図である。
【図３１】第１１の実施の形態の処理のフローチャートである。
【図３２】第１１の実施の形態で記録される画像の説明図である。
【図３３】第１２の実施の形態のコモンカメラ、ローカルカメラのブロック図である。
【図３４】第１２の実施の形態の処理のフローチャートである。
【図３５】第１２の実施の形態で記録される画像の説明図である。
【図３６】第１３の実施の形態のコモンカメラ、ローカルカメラのブロック図である。
【図３７】第１３の実施の形態の処理のフローチャートである。
【図３８】第１３の実施の形態で記録される画像の説明図である。
【図３９】第１４実施の形態のコモンカメラ、ローカルカメラのブロック図である。
【図４０】第１４の実施の形態の処理のフローチャートである。
【図４１】第１４の実施の形態で記録される画像の説明図である。
【図４２】第１５実施の形態のコモンカメラ、ローカルカメラのブロック図である。
【図４３】第１５の実施の形態の処理のフローチャートである。
【図４４】第１５の実施の形態で記録される画像の説明図である。
【図４５】第１６実施の形態のコモンカメラ、ローカルカメラのブロック図である。
【図４６】第１６の実施の形態の処理のフローチャートである。
【図４７】第１６の実施の形態で記録される画像の説明図である。
【図４８】第１７の実施の形態の処理のフローチャートである。
【図４９】第１７の実施の形態で記録される画像の説明図である。
【図５０】第１８の実施の形態の処理のフローチャートである。
【図５１】第１８の実施の形態で記録される画像の説明図である。
【図５２】第１９の実施の形態の処理のフローチャートである。
【図５３】第１９の実施の形態で記録される画像の説明図である。
【図５４】第２０実施の形態のコモンカメラ、ローカルカメラのブロック図である。
【図５５】第２１の実施の形態の処理のフローチャートである。
【符号の説明】
【０２２４】
１，１ｓ，１ｖ，１ｆ  ローカルカメラ、２，２ｓ，２ｖ  コモンカメラ、１０  ローカル制御部、１１  送信部、１３  撮像部、１４  撮像信号処理部、１５  記録再生部、１６  表示処理部、１７  表示部、１８  シャッタスイッチ、１９  記録メディア、２０  ＩＤ記憶部、２１  メタデータ発生部、２２  ビデオスイッチ、２３  撮像光学系、２４  メカ系、２５  フィルム、２６  受信部、３０  コモン制御部、３１  撮像部、３２  撮像信号処理部、３３  記録再生部、３４  受信部、３６  記録メディア、３７  メタデータ発生部、３８  ビデオスイッチ、３９  送信部、４０  シャッタスイッチ、４１  シャッタプログラム、４２  ＩＤ記憶部、４３  メタデータ発生部
【図１】
2005328249.tif 000003
【図２】
2005328249.tif 000004
【図３】
2005328249.tif 000005
【図４】
2005328249.tif 000006
【図５】
2005328249.tif 000007
【図６】
2005328249.tif 000008
【図７】
2005328249.tif 000009
【図８】
2005328249.tif 000010
【図９】
2005328249.tif 000011
【図１０】
2005328249.tif 000012
【図１１】
2005328249.tif 000013
【図１２】
2005328249.tif 000014
【図１３】
2005328249.tif 000015
【図１４】
2005328249.tif 000016
【図１５】
2005328249.tif 000017
【図１６】
2005328249.tif 000018
【図１７】
2005328249.tif 000019
【図１８】
2005328249.tif 000020
【図１９】
2005328249.tif 000021
【図２０】
2005328249.tif 000022
【図２１】
2005328249.tif 000023
【図２２】
2005328249.tif 000024
【図２３】
2005328249.tif 000025
【図２４】
2005328249.tif 000026
【図２５】
2005328249.tif 000027
【図２６】
2005328249.tif 000028
【図２７】
2005328249.tif 000029
【図２８】
2005328249.tif 000030
【図２９】
2005328249.tif 000031
【図３０】
2005328249.tif 000032
【図３１】
2005328249.tif 000033
【図３２】
2005328249.tif 000034
【図３３】
2005328249.tif 000035
【図３４】
2005328249.tif 000036
【図３５】
2005328249.tif 000037
【図３６】
2005328249.tif 000038
【図３７】
2005328249.tif 000039
【図３８】
2005328249.tif 000040
【図３９】
2005328249.tif 000041
【図４０】
2005328249.tif 000042
【図４１】
2005328249.tif 000043
【図４２】
2005328249.tif 000044
【図４３】
2005328249.tif 000045
【図４４】
2005328249.tif 000046
【図４５】
2005328249.tif 000047
【図４６】
2005328249.tif 000048
【図４７】
2005328249.tif 000049
【図４８】
2005328249.tif 000050
【図４９】
2005328249.tif 000051
【図５０】
2005328249.tif 000052
【図５１】
2005328249.tif 000053
【図５２】
2005328249.tif 000054
【図５３】
2005328249.tif 000055
【図５４】
2005328249.tif 000056
【図５５】
2005328249.tif 000057